(57)【要約】検体及び／又は検体容器を特性評価するための品質チェックモジュールで、迷光補償を含む。品質チェックモジュールは、検体を含む検体容器を受け取るように構成された品質チェックモジュール内の撮像位置、１以上の視点から撮像位置の画像を捕捉するように構成された１以上の画像捕捉装置、１以上の画像捕捉装置に背面照射を提供するように構成された１以上の光源、及び画像に影響を与える迷光を補償することを可能にし、且つ迷光補償画像を提供することを可能にする１以上の光源から迷光を受け取る領域に位置する１以上の迷光パッチを含む。較正方法、検体の特性評価方法、品質チェックモジュールを含む検体試験装置、及び１つ以上の迷光パッチを含む検体容器キャリアが、他の態様と同様に提供される。【選択図】図４Ａ
2020527712.tif 000002
【特許請求の範囲】
【請求項１】
以下から構成される品質チェックモジュール。
検体を収納した検体容器を受け取るように構成された品質チェックモジュール内の撮像位置；
１以上の視点から前記撮像位置の画像を捕捉するように構成された１以上の画像捕捉装置；
前記１以上の画像捕捉装置に背面照射を提供するように構成された１以上の光源；及び
前記１以上の光源から迷光を受けている領域に位置する１以上の迷光パッチ。
【請求項２】
前記１以上の光源が少なくとも２つの光スペクトル間でスペクトル切り替え可能である、請求項１に記載の品質チェックモジュール。
【請求項３】
前記１つ以上の迷光パッチが前記検体容器を保持するキャリア上に設けられている、請求項１に記載の品質チェックモジュール。
【請求項４】
前記１つ以上の迷光パッチが前記検体容器を保持するキャリアの１つ以上のタイン上に設けられている、請求項３に記載の品質チェックモジュール。
【請求項５】
前記１つ以上の迷光パッチが前記１つ以上の画像捕捉装置のビューウィンドウ内の位置を含む、請求項３に記載の品質チェックモジュール。
【請求項６】
キャリア上に設けられた複数の迷光パッチを含む、請求項３に記載の品質チェックモジュール。
【請求項７】
複数の画像捕捉装置を含む品質チェックモジュールであって、前記１以上の迷光パッチが前記複数の画像捕捉装置の各々のビューウィンドウ内に少なくとも１つの迷光パッチを含む、請求項３に記載の品質チェックモジュール。
【請求項８】
前記撮像位置を含む空間の少なくとも一部を囲む撮像チャンバを形成する囲いと前記撮像チャンバの外部に存在する１つ以上の撮像装置とを備える、請求項１に記載の品質チェックモジュール。
【請求項９】
前記１つ以上の迷光パッチが、前記検体容器を支持するキャリアに連結されていない固定支持体上に、設けられている請求項１に記載の品質チェックモジュール。
【請求項１０】
前記１つ以上の迷光パッチが、前記検体容器を支持するキャリアに連結されていない可動支持体上に、設けられている請求項１に記載の品質チェックモジュール。
【請求項１１】
前記可動支持体が前記撮像位置から離れた第１の位置から前記撮像位置に隣接する第２の位置に移動するように構成され、ここで、前記可動支持体が前記第２の位置に位置するときに前記撮像が行なわれる、請求項１０に記載の品質チェックモジュール。
【請求項１２】
前記１つ以上の迷光パッチが前記検体容器上、前記検体容器のキャップ上又はその両方に設けられている請求項１に記載の品質チェックモジュール。
【請求項１３】
前記１以上の迷光パッチが前記検体容器上のラベル上に提供される請求項１に記載の品質チェックモジュール。
【請求項１４】
前記１以上の迷光パッチが撮像中に前記検体容器に直接隣接して位置する請求項１に記載の品質チェックモジュール。
【請求項１５】
前記１以上の迷光パッチが撮像中に試料容器から３０ｍｍ以内に位置する、請求項１に記載の品質チェックモジュール。
【請求項１６】
前記１以上の迷光パッチの各１つが少なくとも１ｍｍ２の露光パッチ領域を含む、請求項１に記載の品質チェックモジュール。
【請求項１７】
前記１以上の迷光パッチが白色の表面を含む、請求項１に記載の品質チェックモジュール。
【請求項１８】
少なくとも前記１つ以上の迷光パッチにおける迷光強度ρｃ，ｂに基づいて迷光補償画像を決定するように構成されたコンピュータを含む、請求項１に記載の品質チェックモジュール。
【請求項１９】
以下から構成される品質チェックモジュール。
検体を収納した検体容器を受け取るように構成された撮像位置；
前記撮像位置において前記検体容器及び検体の像を捕捉するように構成された画像捕捉装置；
前記撮像位置に隣接して位置し、前記画像捕捉装置のための背面照射を提供するように構成された光源；
前記光源から迷光を受け取る領域に位置する迷光パッチ；及び
前記１つ以上の迷光パッチにおいて少なくとも迷光強度ρｃ，ｂに基づいて迷光補償画像を決定するように構成されたコンピュータ。
【請求項２０】
前記コンピュータが空間的に分解された光学補正係数を決定するように構成され動作可能である、請求項１９に記載の品質チェックモジュール。
【請求項２１】
前記コンピュータが較正対象の前面の較正画像強度Ｉｃ，ｂを決定するように構成され動作可能である、請求項１９に記載の品質チェックモジュール。
【請求項２２】
以下のステップを含む較正方法。
撮像位置、前記撮像位置の前面の画像捕捉装置、及び、前記前面と反対側の前記撮像位置の第２面の上の背面光源を提供するステップ；
前記撮像位置に較正対象を提供するステップ；
前記撮像位置に隣接した迷光パッチを提供するステップ；
前記撮像位置及び前記較正対象を背面光源で照明するステップ；
前記較正対象の前記前面及び前記迷光パッチの画像を前記画像捕捉装置で捕捉するステップ；並びに
前記迷光パッチの迷光強度ρｃ，ｂ及び前記較正対象の前面の較正画像強度Ｉｃ，ｂを決定するステップ。
【請求項２３】
光学補正係数を決定するステップを含む、請求項２２に記載の較正方法。
【請求項２４】
前記迷光強度ρｃ，ｂ、前記較正画像強度Ｉｃ，ｂ、及び前記光学補正係数を用いて、迷光補償画像を決定するステップを含む、請求項２３に記載の較正方法。
【請求項２５】
以下のステップを含む特性評価法。
検体を収納した検体容器を撮像位置に用意するステップ；
前記撮像位置で画像を捕捉するように構成された１つ以上の画像捕捉装置を提供するステップ；
１つ以上の光源で前記撮像位置を背面照射するステップ；
前記１つ以上の光源からの迷光を受け取る領域に位置する迷光パッチを提供するステップ；
前記１つ以上の画像捕捉装置で前記検体容器、前記検体及び前記迷光パッチの画像を捕捉するステップ；及び
迷光補償画像を決定するステップ。
【請求項２６】
以下を含有する検体容器キャリア。
キャリアベース；
その中に検体容器を収容するように適合されたリセプタクルを形成する、前記キャリアベースに連結した支持要素；及び
前記検体容器キャリア上に提供された１つ以上の迷光パッチ。
【請求項２７】
前記１つ以上の迷光パッチの迷光パッチが、検体容器キャリア上に提供されたデータコードに対して固定された方向に構成されていてもよい、請求項２６に記載の検体容器キャリア。
【請求項２８】
前記支持要素が、前記キャリアベースから伸びる複数のタイン及び前記キャリアベースに連結された１つ以上のスプリングを含み、前記複数のタイン及び前記１つ以上のスプリングがリセプタクルを形成するように構成されている、請求項２６に記載の検体容器キャリア。
【請求項２９】
前記１つ以上の迷光パッチが前記複数のタインの少なくとも１つのタイン上又は前記キャリアベースに連結されたパッチ支持体上に設けられている、請求項２８に記載の検体容器キャリア
【請求項３０】
前記複数のタインのうちの少なくとも１つのタインが、側面のより薄い端部を含み、前記１つ以上の迷光パッチの迷光パッチが、前記少なくとも１つのタインの前記より薄い端部に提供され得る、請求項２９に記載の検体容器キャリア。
【請求項３１】
少なくとも１つの短いタイン及び少なくとも１つの長いタインを含み、前記短いタインの高さが前記長いタインの高さよりも短い、請求項２９に記載の検体容器キャリア。
【請求項３２】
前記長いタインの高さが、前記キャリアベースの頂部から前記長いタインの頂部までの高さで、２５ｍｍから７５ｍｍの間である、請求項３１に記載の検体容器キャリア。
【請求項３３】
前記短いタインの高さが、前記検体容器に含まれる血清又は血漿部分の撮像を妨げないように十分に短く選択される、請求項３１に記載の検体容器キャリア。
【請求項３４】
前記短いタインの高さが、キャリアベースの頂部から前記短いタインの頂部までの高さで、５ｍｍから２５ｍｍの間である、請求項３３に記載の検体容器キャリア。
【請求項３５】
前記１つ以上の迷光パッチの１つの迷光パッチが、前記タインの側面に設けられ、且つ血清又は血漿部分を含む前記検体容器内の高さに近接すると決定される高さ位置に設けられる、請求項２９に記載の検体容器キャリア。
【請求項３６】
前記１つ以上の迷光パッチの１つの迷光パッチが、タインの側面上で画像捕捉装置によって撮像可能な位置に提供される、請求項２９に記載の検体容器キャリア。
【請求項３７】
前記１つ以上の迷光パッチの１つの迷光パッチが、前記検体容器キャリアのパッチ支持体上に提供される、請求項２６に記載の検体容器キャリア。
【発明の詳細な説明】
【技術分野】
【０００１】
［関連出願の相互参照］
本出願は、２０１７年７月１９日に提出された米国仮出願（出願番号６２／５３４，６４５）に基づく優先権を主張するものであり、その内容は、その全体が参照により本明細書に組み込まれる。
【０００２】
本開示は、生体試料を試験するための方法及び装置に関し、より詳細には、検体容器及び／又はその内容物の特性を評価するための方法及び装置に関する。
【背景技術】
【０００３】
自動試験システムは、尿、血清、血漿、間質液、脳脊髄液などの生体試料中の分析物又は他の成分を同定するために、１つ以上の試薬を用いて臨床化学又は検査を行なうことができる。利便性及び安全上の理由から、これらの検体は、殆ど例外なく検体容器（例えば、採血管）に収容される。
【０００４】
自動試験の改良に伴い、バッチ調製、検体成分を分離するための検体の遠心分離、検体アクセスを容易にするためのキャップ除去、アリコート調製、溶血（Ｈ）、黄疸（Ｉ）及び／又は脂血症（Ｌ）（以下、「ＨＩＬ」という。）の事前スクリーニング、又は正規性（Ｎ）等の自動化された分析前検体処理が対応して進歩した。このような自動化された分析前検体処理は、実験室自動化システム（ＬＡＳ）の一部であってよい。ＬＡＳは、検体容器に収納された検体を分析前検体処理用キャリア上並びに臨床化学分析装置及び／又は検査機器を収納した分析ステーション（本明細書では「分析装置」と総称する。）に自動的に搬送し、試験を行なう。試験反応又は検査反応は、様々な変化を発生させ、これらは、読み取られ及び／又はその他の方法で操作されて検体に含まれる分析物又は他の成分の濃度を決定する。
【０００５】
ＬＡＳは、（バーコードラベルなどで）標識された検体容器に含まれる検体を一度に何種類でも扱うことができ、検体容器はサイズや種類がすべて異なっていてもよく、サイズや種類が混在していてもよい。バーコードラベルは、病院の実験室情報システム（ＬＩＳ）に入力される人口統計情報に関連付けることができる受託番号を、試験の順番及び他の情報と共に含んでいてもよい。ＬＩＳは、ＬＡＳとインターフェースを形成し、通信することができる。オペレータは、標識された検体容器をＬＡＳ上に置くことができ、ＬＡＳは、この検体容器を分析前処理操作のために自動的に輸送することができ、これらは、全て、検体が実際に臨床分析に供されるか又は１つ以上の分析装置によるアッセイに供される前に行なわれる。
【０００６】
ＬＡＳ上の自動化された分析前検体処理のいくつかの実施形態において、品質チェックモジュールは、検体を含む検体容器を受け取り、ＨＩＬのような干渉物質の存在について検体を事前スクリーニングすることができる。ＨＩＬの事前スクリーニングでは、検体容器及び検体の１つ以上の画像を捕捉した後、この画像データを処理して、Ｈ、Ｉ及び／又はＬが存在するかどうか、もし、存在する場合はＨ、Ｉ及び／又はＬのインデックス（相対量）を、又は検体が正常（Ｎ）であるかどうかを判定する。サンプル処理又は患者の病状の結果として、検体中に特定の干渉物質が存在することは、後に分析装置から得られる分析物又は成分測定の試験結果の精度に悪影響を及ぼす可能性がある。
【０００７】
Ｍｉｌｌｅｒに与えられた特許文献１に記載されているようないくつかのシステムでは、検体容器を回転させることで、検体容器上の１つ以上の標識で遮られていないビューウィンドウを見つけることができると記載されている。撮像は、ビューウィンドウを見つけたときに行なわれることがある。
【０００８】
Ｐａｒｋらの特許文献２に記載されているような他のシステムでは、検体容器及び検体を複数の視点から撮像し、検体容器の回転が不要となるようにモデルベースのシステムで処理する。
【先行技術文献】
【特許文献】
【０００９】
【特許文献１】米国特許第９，３２２，７６１号
【特許文献２】国際出願公開第２０１６／１３３９００号
【発明の概要】
【発明が解決しようとする課題】
【００１０】
しかしながら、このようなシステムは、ある条件下では、１つ以上の画像捕捉装置からの多少破損している可能性がある画像データを提供することがある。従って、このような検体及び／又は検体容器の破損した画像データを補償するように構成された改良された方法及び装置が求められる。
【課題を解決するための手段】
【００１１】
第一の態様によれば、品質チェックモジュールが提供される。品質チェックモジュールは、検体を含む検体容器を受け取るように構成された品質チェックモジュール内の撮像位置、１以上の視点から撮像位置の画像を捕捉するように構成された１以上の画像捕捉装置、１以上の画像捕捉装置に背面照射を提供するように構成された１以上の光源、及び１以上の光源から迷光を受け取る領域に位置する１以上の迷光パッチを含む。
【００１２】
別の態様では、品質チェックモジュールが提供される。品質チェックモジュールは、検体を含む検体容器を受け取るように構成された撮像位置と、撮像位置で検体容器及び検体の画像を捕捉するように構成された画像捕捉装置と、撮像位置に隣接して画像捕捉装置のための背面照射を提供するように構成された光源と、光源から迷光を受け取る領域に位置する迷光パッチと、１以上の迷光パッチにおいて少なくとも迷光強度ρｃ，ｂに基づいて迷光補償画像を決定するように構成されたコンピュータとを含む。
【００１３】
更に別の態様によれば、較正方法が提供される。較正方法は、撮像位置、撮像位置の第１側面に画像捕捉装置、及び第１側面とは対向する撮像位置の第２側面に背面光源を設けるステップと、撮像位置に較正対象を設けるステップと、撮像位置に隣接する迷光パッチを設けるステップと、撮像位置及び較正対象を背面光源で照明するステップと、較正対象の前面の画像及び迷光パッチの画像を撮像装置で捕捉するステップと、迷光パッチの迷光強度ρｃ，ｂ及び較正対象の前面の較正画像強度Ｉｃ，ｂを決定するステップとを含む。
【００１４】
更に、別の態様によれば、特性評価方法が提供される。特性評価方法は、検体を含む検体容器を提供すること、撮像位置で画像を捕捉するように構成された１以上の画像捕捉装置を提供すること、１以上の光源で撮像位置を背面照射すること、１以上の光源から迷光を受けている領域に位置する迷光パッチを提供すること、検体容器、検体及び迷光パッチの画像を１以上の画像捕捉装置で捕捉すること、並びに迷光補償画像を決定することを含む。
【００１５】
別の態様では、検体容器キャリアが提供される。検体容器キャリアは、キャリアベース、キャリアベースから伸びる複数のタイン（枝角状物：ｔｙｎｅ）、キャリアベースに結合された１つ以上のスプリング（ここで、複数のタイン及び１つ以上のスプリングは、その中に検体容器を受け入れるように構成されたレセプタクル（容器：ｒｅｃｅｐｔｃｌｅ）を形成するように構成されている。）、並びに検体容器キャリア上に提供された１つ以上の迷光パッチを備える。
【００１６】
更に、本開示の他の態様、特徴及び利点は、本発明を実施するために意図された最良のモードを含む多数の例示的な実施形態を示す以下の説明から容易に明らかになるであろう。本発明は、また、他の実施形態及び異なる実施形態も可能であり、そのいくつかの詳細は、全て本開示の範囲から逸脱することなく、様々な点で修正することができる。更に、特定の利点が列挙されているけれども、様々な実施形態は、列挙された利点の全て又はいくつかを含んでいてもよく、また、ひとつも含んでいなくてもよい。従って、図面及び説明は、本質的に例示的であると見なされるべきであり、限定的とみなされるべきではない。開示は、クレームの範囲内にある全ての修正、等価物及び代替物を網羅する。
【図面の簡単な説明】
【００１７】
以下に述べる図は、例示的な目的のためのものであり、必ずしも縮尺どおりに描かれているわけではない。図面は、決して本発明の範囲を限定するものではない。
【図１】図１は、１以上の実施形態に従って迷光補償方法を実施するように構成された１以上の品質チェックモジュールを含む検体試験装置の上面模式図を示す。
【図２】図２は、検体を含む検体容器の側面図を示す。
【図３】図３は、検体及びゲルセパレータを含む検体容器の側面図を示す。
【図４Ａ】図４Ａは、１以上の実施形態による、迷光補償を含む品質チェックモジュールの等角投影図を示す。
【図４Ｂ】図４Ｂは、１つ以上の実施形態による、図４Ａの光パネルアセンブリの等角投影図を示す。
【図４Ｃ】図４Ｃは、１つ以上の実施形態による、図４Ｂの光パネルアセンブリの様々な構成要素の分解図を示す。
【図４Ｄ】図４Ｄは、１つ以上の実施形態による、１つ以上の迷光パッチを含む検体容器キャリアの模式的側面図を示す。
【図４Ｅ】図４Ｅは、１つ以上の実施形態による、１つ以上の迷光パッチを含む検体容器キャリアの模式的な上面図を示す。
【図５Ａ】図５Ａは、１つ以上の実施形態による、固定搭載された迷光パッチを含む品質チェックモジュールの構成要素の模式的側面図を示す。
【図５Ｂ】図５Ｂは、１以上の実施形態による、可動式に搭載された迷光パッチを含む品質チェックモジュールの構成要素の模式的側面図を示す。
【図６】図６は、１以上の実施形態による、複数の画像捕捉装置及び各視点について少なくとも１つの迷光パッチを含む品質チェックモジュールの部品の模式的な上面図を示す。
【図７Ａ】図７Ａは、１以上の実施形態による、迷光補償を含む品質チェックモジュールの機能的構成要素のブロック図を示す。
【図７Ｂ】図７Ｂは、１つ以上の実施形態による、１つ以上の迷光パッチを含み較正対象を支持する検体容器キャリアの模式的側面図を示す。
【図８】図８は、１以上の実施形態による、較正方法のフローチャートを示す。
【図９Ａ】図９Ａは、１以上の実施形態による、光学補正係数を決定する方法のフローチャートを示す。
【図９Ｂ】図９Ｂは、１以上の実施形態による、反射率に基づいて光学補正係数を決定する方法のフローチャートである。
【図１０】図１０は、１つ以上の実施形態による、迷光補償画像を決定する特性評価方法のフローチャートである。
【発明を実施するための形態】
【００１８】
第１の広範な態様において、本開示の実施形態は、１以上の画像を捕捉し、検体容器に含まれる検体の特性を評価するように構成された方法及び装置を提供し、ここで、１以上の捕捉画像は迷光補償される。１つ以上の実施形態において、特性評価方法の１つの最終結果は、Ｈ、Ｉ及び／若しくはＬ、又はＮ（以下、「ＨＩＬＮ」という。）の定量化であってもよい。
【００１９】
特に、開示の実施形態は、１以上の画像捕捉装置から、検体容器の前面から外れた迷光の反射によって破損しない撮像データを、提供するように構成された装置及び方法に向けられている。特許文献２に記載されているような、検体容器内の検体の特性を評価するための先行技術の撮像システムでは、光源からの迷光が検体容器や検体を通過して正面視画像が得られるだけでなく、場合によっては、迷光が検体容器の周囲を通過し、検体撮像を行なう品質チェックモジュールの内部表面や構成要素から反射することがある。検体を通過しない迷光は、検体容器の前面に反射され、望ましくないことにその前面を照明する可能性があり、それにより、画像捕捉装置によって捕捉される強度の読み取りを人為的に高くする。従って、本明細書に開示された装置及び方法は、このような迷光を補償し、従って、画像強度を調整して、迷光の影響を最小限にする。
【００２０】
本明細書に記載するように、検体は、採血管などの検体容器に採取され、分離（例えば、遠心分離を用いた分画）の後、沈降血液部分と血清及び血漿部分とを含み得る。沈降血液部分（ときに「充填細胞部分（ｐａｃｋｅｄ  ｃｅｌｌ  ｐｏｒｔｉｏｎ）」と称される。）は、白血球（白血球）、赤血球（赤血球）及び血小板（血小板）のような血液細胞から構成され、これらは凝集し、血清又は血漿部分から分離される。これは、一般に検体容器の底部に見出される。血清又は血漿部分は、血液の液体成分であって、沈降血液部分の一部ではない。これは、概ね、沈降血液部分の上にある。血漿と血清とは、主として、主にフィブリノーゲンである凝固成分の含量が異なる。血漿は凝固していない液体であるが、血清とは、内因性酵素又は外因性成分の影響下に凝固させた血液血漿を指す。検体容器の中には、沈降血液部分と分画中の血清又は血漿部分との間に配置される小型のゲルセパレータ（例えば、プラグ）を用いるものがある。これは、２つの部分の間の障壁として機能する。
【００２１】
１以上の実施形態によれば、本明細書に記載される特性評価装置及び方法は、分析前試験又は事前スクリーニングを実施するために使用することができる。例えば、１以上の実施形態では、特性評価方法は、試料が１以上の分析装置での分析（臨床化学又はアッセイ）に供される前に実施することができる。特に、本開示の１つ以上の実施形態は、更なる試験のための必要条件として検体の特性評価を提供する。１つ以上の実施形態において、検体の特性評価は、品質チェックモジュールで決定され得る。品質チェックモジュールは、検体容器及び検体の側方２Ｄ画像を１つ以上の異なる側方視点から提供するように配置された１つ以上の画像捕捉装置を含むことができる。画像捕捉の間、検体容器及び検体は、背面照射されてもよい、即ち、検体容器及び検体の後ろから照射されてもよい。生成される照明は、光パネルアセンブリによってもよい。
【００２２】
１以上の実施形態では、検体及び／又は検体容器の特性評価は、ハイダイナミックレンジ（ＨＤＲ）画像処理と組み合わせたパネル化光源による背面照射を用いて行なうことができる。本発明の方法及び装置は、検体を定量化するために使用することができ、これには、光透過の強度が様々な空間的位置で検体を透過するかどうかの定量化が含まれる。場合により又はこれに追加して、特性評価方法及び装置を用いて、血清若しくは血漿部分及び／又は沈降血液部分、及び／又はゲルセパレータの界面境界の位置、並びにＨＤＲ画像処理及び迷光補償を用いて非常に精密にこれらの成分の体積及び／又は深さを決定してもよい。いくつかの実施形態において、容器の種類（高さ及び／又は幅の同定により）、キャップの種類及び／又はキャップの色などの検体容器の幾何学的又は他の特徴の特性評価は、本発明の装置及び方法を用いて決定することができる。
【００２３】
要するに、背面照明され、迷光が補償された、１つ以上の視点に関する２Ｄ画像データセットを、検体容器及び／又は検体の特性を評価するために使用することができる。また、パネル化された光源で背面照射され迷光補償された２Ｄ画像データセットは、検体中に溶血（Ｈ）、黄疸（Ｉ）及び／又は脂血症（Ｌ）（以下、「ＨＩＬ」）などの干渉物質が存在するかどうか或いは検体が正常（Ｎ）であるかどうかなど、検体に関する情報を決定し又は検証するために使用することができる。
【００２４】
本発明の方法及び装置による特性評価の後、血清又は血漿部分が１つ以上のＨ、Ｉ及び／又はＬを含有することが判明した場合、検体は更なる処理に供することができる。例えば、検体は、脂肪血を低下させるために、又は、Ｈ、Ｉ又はＬのための指標のより正確な特性評価のために更なる処理に供され得る。このような更なる処理の後、検体は、いくつかの実施形態において、１つ以上の分析装置によるいつもどおりの分析を継続し、受けることを許され得る。それ以外の場合は、検体を廃棄してやり直してもよい。他の実施形態では、検体は、品質チェックモジュールによって２回目に事前スクリーニングされ得る。事前スクリーニングで検体が正常（Ｎ）であることが判明した場合は、検体を１台以上の分析装置に直接送り、いつもどおりの分析を行なうことがある。
【００２５】
１つ以上の実施形態において、品質チェックモジュールは、軌道（ｔｒａｃｋ）が検体を１つ以上の分析装置に、そして、軌道上又は軌道に沿った任意の適切な位置に提供された品質チェックモジュールに、輸送するＬＡＳの一部として、提供され得る。例えば、品質チェックモジュールは、搭載領域に又は軌道に沿った他の場所に配置することができ、これにより、検体及び検体容器は軌道に乗っている間に特性評価される。但し、明確にするために言えば、背面照射及び迷光補償を含む品質チェックモジュールは、軌道上に含まれなくてもよく、検体を含む検体容器は、手動で又はロボットによって、それに積み込まれ、それから積み下ろしされてもよい。
【００２６】
いくつかの実施形態において、特性評価は、複数の露光（例えば、露光時間）において及び異なる公称波長を有する複数の異なるスペクトルを使用する背面照明を用いて複数の画像を捕捉することを始めとするＨＤＲ画像データ処理を含むことができる。複数の画像は、１つ以上の画像捕捉装置を用いて取得することができる。例えば、いくつかの実施形態では、複数の画像捕捉装置を配置して、異なる側方視点から画像を撮影することができる。画像は、各視点についてパネル化背面照明を用いて作製してもよい。背面照明のためのスペクトル光源は、赤色（Ｒ）光源、緑色（Ｇ）光源、及び青色（Ｂ）光源を含むことができる。所望により、白色光、近赤外光、又は赤外光源さえも使用することができる。各スペクトルについての複数の露光時間での画像は、品質チェックモジュールによって取得することができる。例えば、各スペクトル（又は波長範囲）において、異なる露光時間での４〜８画像を得ることができる。次に、これらの複数の画像をコンピュータによって更に処理して、特性評価結果を生成することができる。画像処理の一環として、迷光補償を実施して、画像強度を適切に調整し迷光の影響を最小限に抑える。
【００２７】
本発明の特性評価方法、品質チェックモジュール及び１以上の品質チェックモジュールを含む検体試験装置の更なる詳細は、本明細書の図１〜１０を参照して更に記述する。
【００２８】
図１は、検体容器１０２（例えば、検体採取管−図２及び３参照）の複数の検体を自動的に処理することができる検体試験装置１００を示す。検体容器１０２は、１つ以上の分析装置（例えば、検体試験装置１００の周囲に配置された、それぞれ、第１、第２及び第３の分析装置１０６、１０８及び１１０）への輸送前及び分析装置による分析前に、搭載領域１０５において１つ以上のラック１０４に収納されていてもよい。より多くの数又はより少ない数の分析装置を使用できることは明らかである。分析装置は、臨床化学分析装置、検査機器及び／又はその他の任意の組合せでよい。検体容器１０２は、採血管、試験管、試料カップ、キュベット等の一般的に透明又は半透明の任意の容器、又はその中に検体２１２を収納するように構成された他の一般的に透明なガラス又はプラスチックの容器でよい。
【００２９】
典型的には、自動的に処理されるべき検体２１２（図２及び３）が、蓋２１４で蓋をされていてもよい検体容器１０２中に提供され得る（図２及び３）。蓋２１４は、異なる形状及び／又は異なる色（例えば、赤色、藤紫色、淡青色、緑色、灰色、黄色、又は色の組合せ）を有していてもよく、これは、検体容器１０２がどのような試験に用いられるか、そこに含まれる添加物のタイプなどの点で意味を有する可能性がある。他の色を使用してもよい。ある態様によれば、蓋を撮像して蓋についての情報を特性評価し、それを用いて試験順序とのクロスチェックができるようにすることが望ましい場合がある。
【００３０】
検体容器１０２の各々は、検体試験装置１００の周囲の位置で機械的に読み取ることができるバーコード、アルファベット、数字、英数字、又はこれらの組合せなどの識別情報２１８ｉ（即ち、徴候（ｉｎｄｉｃｉａ））を与えられていてもよい。識別情報２１８ｉは、実験室情報システム（ＬＩＳ）１４７を介して、患者の識別並びに検体２１２について実施される検査、又は例えばＬＩＳ１４７からの他の情報を示すことができ、又は相関させることができる。このような識別情報２１８ｉは、一般に、検体容器１０２に付着し又は他の方法で側面に提供されるラベル２１８上に提供され得る。ラベル２１８は、概して、試料容器１０２の周囲全体に亘って又は試料容器１０２の高さ全体に亘って延びるものではない。いくつかの実施形態において、複数のラベル２１８が、付着していてもよく、互いに僅かに重複していてもよい。従って、ラベル２１８は検体２１２の一部を見えなくすることがあるが、検体２１２の一部は依然として一定の視点から見ることができる。方法及び品質チェックモジュールの１つ以上の実施形態により、検体容器１０２を回転せずに、検体２１２及び／又は検体容器の特性評価を可能にする。
【００３１】
図２及び３に最も良く示されているように、検体２１２は、管２１５内に含まれる血清又は血漿部分２１２ＳＰ及び沈降血液部分２１２ＳＢを含むことができる。空気２１６は、血清及び血漿部分２１２ＳＰの上方に供給することができ、空気２１６と血清及び血漿部分２１２ＳＰとの間のライン又は分界は、ここでは液体−空気界面（ＬＡ）として定義される。血清又は血漿部分２１２ＳＰと沈降血液部分２１２ＳＢとの間の分界線は、ここでは血清−血液界面（ＳＢ）として定義され、図２に示されている。空気２１６と蓋２１４との間の界面を、本明細書では管−蓋界面（ＴＣ）と称する。血清又は血漿部分２１２ＳＰの高さは、（ＨＳＰ）であり、血清又は血漿部分２１２ＳＰの頂部から沈降血液部分２１２ＳＢの頂部までの高さと定義される。沈降血液部分２１２ＳＢの高さは、（ＨＳＢ）であり、沈降血液部分２１２ＳＢの底部から図２の沈降血液部分２１２ＳＢの頂部ＳＢまでの高さと定義される。図２のＨＴＯＴは、検体２１２の全高さであり、ＨＴＯＴ＝ＨＳＰ＋ＨＳＢである。
【００３２】
ゲルセパレータ３１３を使用する場合（図３参照）、血清又は血漿部分２１２ＳＰの高さは（ＨＳＰ）であり、血清又は血漿部分２１２ＳＰの頂部ＬＡからゲルセパレータ３１３の頂部ＳＧまでの高さと定義される。沈降血液部分２１２ＳＢの高さは（ＨＳＢ）であり、沈降血液部分２１２ＳＢの底部ＢＧからゲルセパレータ３１３の底部までの高さと定義される。図３のＨＴＯＴは、検体２１２の全高さであり、ＨＴＯＴ＝ＨＳＰ＋ＨＳＢ＋ゲルセパレータ３１３の高さと定義される。いずれの場合も、検体容器１０２の壁厚はＴｗ、外側の幅はＷ、内側の幅はＷｉである。管の高さ（ＨＴ）は、ここでは、管２１５の最下部から蓋２１４の底部までの高さと定義される。
【００３３】
より詳細には、検体試験装置１００は、基部１２０（例えば、枠又は他の構造）を含み、その上に軌道１２１を配置することができる。軌道１２１は、レール付き軌道（例えば、モノ又は複数のレール付き軌道）、コンベヤベルト、コンベヤチェーン又はリンク、可動プラットフォーム、又は他の適切なタイプの搬送メカニズムの集合体であってもよい。軌道１２１は、円形でも、蛇行形でも、又は他の適当な形状であってもよく、閉じた軌道（例えば、無限軌道）であってよい。軌道１２１は、作業中に、検体容器キャリア１２２（以下、「キャリア１２２」）内の軌道１２１の周囲に間隔を空けて配置された目的地へ、個々の検体容器１０２を輸送することができる。
【００３４】
キャリア１２２は、軌道１２１上を単一の検体容器１０２を運ぶように構成された受動的で非電動のパック（ｐｕｃｋ）であってもよく、このとき、軌道１２１は、可動である。
所望により、キャリア１２２は、軌道１２１の周囲を移動し予めプログラムされた位置で停止するようにプログラムされたリニアモータなどのオンボード駆動モータを含めて自動化されてもよく、ここでは、軌道１２１は静止している。いずれの場合においても、キャリア１２２は、各々、規定された直立位置に検体容器１０２を保持するように構成されたホルダー１２２Ｈ（図４Ａ、４Ｄ、４Ｅ）を含むことができる。ホルダー１２２Ｈは、キャリア１２２内で検体容器１０２を支持し固定することができる複数の爪バネ若しくは板バネ又はそれらの組み合わせを含むことができるが、その一部は、そこで受け取る検体容器１０２の種々のサイズに対応するために側方移動可能又は可撓性であってよい。キャリア１２２は、搭載領域１０５から出ることができる。いくつかの実施形態において、搭載領域１０５は、分析完了後にキャリア１２２から検体容器１０２を外すことを可能にする二重機能を果たし得る。或いは、適切なオフロードレーン（図示せず）を、軌道１２１の他の場所に設けることができる。
【００３５】
ロボット１２４は、搭載領域１０５に設けられてもよく、１つ又は他のラック１０４からの検体容器１０２を把持し、それをキャリア１２２に、入力レーン上や軌道１２１の他の位置などに搭載するように構成されてもよい。ロボット１２４は、Ｘ及びＺ、Ｙ及びＺ、Ｘ、Ｙ及びＺ、ｒ及びθ、又はｒ、θ及びＺ運動が可能な１つ又は複数（例えば、少なくとも２つ）のロボットアーム又は構成要素を備えることができ、ここで、Ｚは図１の紙面の外側にある。ロボット１２４は、ガントリロボット、関節アームロボット、Ｒ−θロボット又は他の適切なタイプのロボットでよく、ロボット１２４は、ロボットグリッパーフィンガーを備えることができ、このフィンガーは、検体容器１０２を拾い上げてプログラムされた位置に配置することができるように寸法決めされていてよい。
【００３６】
軌道１２１上に積み込まれると、キャリア１２２によって運ばれた検体容器１０２は、検体２１２の分画を行なうように構成された遠心分離機１２５に向かって進行することができる。検体容器１０２を運ぶキャリア１２２は、流入レーン又は適切なロボット（図示せず）によって遠心機１２５に方向転換することができる。遠心分離された後、検体容器１０２は出て、軌道１２１上を進み続けることができる。図示された実施形態では、キャリア１２２内の検体容器１０２は、次に、迷光補償を含む品質チェックモジュール１３０に輸送され得る。迷光補償については、図４Ａ〜４Ｃを参照して、本明細書で更に記述される。
【００３７】
品質チェックモジュール１３０は、検体容器１０２に含まれる検体２１２の特性評価をするように構成され改造されており、一部の実施形態では、検体容器１０２の特性評価をするように改造されていてもよい。検体２１２の定量化は、品質チェックモジュール１３０で行なわれてもよく、ＨＳＰ、ＨＳＢ又はＨＴＯＴさえも決定し、ＬＡ、ＳＢ又はＳＧ、及び／又はＢＧの位置を決定することを含むことができる。品質チェックモジュール１３０は、また、検体２１２に含まれる溶血（Ｈ）、黄疸（Ｉ）及び／又は脂血症（Ｌ）の１つ又はそれ以上のような干渉物質の存在を決定するために構成されてもよい。いくつかの実施形態では、ＨＴ、管の外幅（Ｗ）及び／又は管の内幅（Ｗｉ）、ＴＣ、又はキャップ色又はキャップタイプ等の検体容器１０２の決定のような物理的属性の定量化は、品質チェックモジュール１３０で行なわれ得る。従って、検体容器１０２の大きさ及び型式を決定することができる。
【００３８】
一旦、検体２１２が特性評価されると、検体２１２は、各試料容器１０２を取り外しのために搭載領域１０５に戻す前に、１つ以上の分析装置（例えば、第１、第２及び第３の分析装置１０６、１０８及び／又は１１０）で分析されるように転送されてもよい。更に、付加的なステーション（図示せず）が、軌道１２１の周囲に、キャップ除去ステーション、分注ステーション、１つ以上の付加的な品質チェックモジュールなどのような種々の所望の位置で、配置されてもよい。
【００３９】
検体試験装置１００は、軌道１２１の周囲の１以上の位置にセンサ１１６を備えることができる。センサ１１６は、検体容器１０２上に置かれた識別情報２１８ｉ（図２及び３）を読み取ることによって、軌道１２１に沿った検体容器１０２の位置又は各キャリア１２２上に提供された同様の情報（図示せず）を検出するために使用することができる。いくつかの実施形態において、バーコードをキャリア１２２上に設けることができる。キャリア１２２の位置を追跡するための他の手段、例えば近接センサなど、を使用してもよい。センサ１１６の全ては、各試料容器１０２の位置を常時知ることができるように、コンピュータ１４３と接続することができる。
【００４０】
検体試験装置１００は、コンピュータ１４３によって制御することができ、コンピュータ１４３は、適切な記憶並びに適当なコンディショニングエレクトロニクス、ドライバ、及び種々の自動化された構成要素を操作するためのソフトウェアを備えた、マイクロプロセッサベースの中央処理ユニット（ＣＰＵ）であってもよい。コンピュータ１４３は、基部１２０の一部として又は基部１２０から分離して、収容されてもよい。コンピュータ１４３は、キャリア１２２の搭載領域１０５への及び搭載領域１０５からの移動、軌道１２１周辺の運動、遠心分離機１２５への及び遠心分離機１２５からの移動、品質チェックモジュール１３０への及びそれからの移動を制御するように、動作することができる。コンピュータ１４３は、また、品質チェックモジュール１３０の操作並びに本明細書に記載された特性評価及び迷光補償を制御することができる。コンピュータ１４３又は別個のコンピュータは、遠心分離機１２５の操作並びに各分析装置１０６、１０８、１１０への移動及びこれらからの移動を制御することができる。通常、別個のコンピュータは、各分析装置１０６、１０８、１１０の動作を制御することができる。
【００４１】
品質チェックモジュール１３０を除く全てについて、コンピュータ１４３は、ニューヨーク州、タリータウンのシーメンス・ヘルスケア・ダイアグノスティクス社が販売するＤｉｍｅｎｓｉｏｎ（登録商標）臨床化学分析装置上で使用されるもののようなソフトウェア、ファームウェア及び／又はハードウエアの指令又は回路に従って、検体試験装置１００を制御することができ、そのような制御は、コンピュータベースの電気機械的制御プログラミングの当業者に典型的であり、本明細書ではそれ以上記述しない。しかしながら、試料検査システム１００制御用の他の適切な装置を使用してもよい。
【００４２】
本開示の実施形態は、ユーザが種々の状態に容易にアクセスし表示画面を制御することを可能にするコンピュータインターフェースモジュール（ＣＩＭ）１４５を用いて実施することができる。これらの状態及び制御スクリーンは、検体２１２の事前スクリーニング、調製及び分析のために使用される複数の相互に関連した自動化装置の一部又は全ての側面を記述することができる。ＣＩＭ１４５は、複数の相互に関連した自動化装置の作動状態に関する情報、並びに任意の検体２１２の位置を記述する情報、並びに検体２１２について実施されるべき又は検体２１２について実施されている試験の状態を提供するために使用され得る。従って、ＣＩＭ１４５は、オペレータと検体試験装置１００との間の相互作用を容易にするように適合させることができる。ＣＩＭ１４５は、オペレータがそれを通して試料検査装置１００と連携するアイコン、スクロールバー、ボックス及びボタンを始めとするメニューを表示するように構成された表示画面を含んでいてもよい。メニューは、試料検査装置１００の機能的な態様を表示するようにプログラムされた多数の機能ボタンを含んでいてもよい。
【００４３】
開示の１以上の側面に従って検体２１２を事前スクリーニングすることにより、血清又は血漿部分２１２ＳＰ及び／又は沈降血液部分２１２ＳＢの相対量、及び／又はこれらの間の比率の正確な定量化が可能となる。更に、事前スクリーニングは、ＬＡ、ＳＢ又はＳＧの物理的な垂直位置、及び／又は、検体容器１０２の最下部を決定することができる。定量化により、指示された検査を実施するには不十分な量の血清又は血漿部分２１２ＳＰしか利用できない場合、検体２１２が１つ以上の分析装置１０６、１０８、１１０に進行するのを止めることが保証される。このようにして、空気の吸引の可能性を避けることによって、不正確な検査結果を避けることができる。ＬＡ及びＳＢ又はＳＧの物理的位置を正確に定量する能力は、空気を吸引する可能性を最小限にするだけでなく、沈降血液部分２１２ＳＢ又はゲルセパレータ３１３（存在する場合）のいずれかを吸引する可能性を最小限にすることができる。従って、分析装置１０６、１０８、１１０のための又は分注ステーションにおける血清又は血漿部分２１２ＳＰを吸引するために使用される検体吸引ピペットの詰まり及び汚染を回避又は最小限にすることができる。
【００４４】
図４Ａ〜４Ｃを参照して、スペクトル的に切り替え可能な光源を含むことができる光パネルアセンブリ４５０として具体化された照明源を含む品質チェックモジュール１３０の第１の実施形態を示し、記述する。品質チェックモジュール１３０は、自動的に検体２１２（例えば、血清又は血漿部分２１２ＳＰ、沈降血液部分２１２ＳＢ、又はその両方）の特性評価及び／又は定量化をするように構成され適合されてもよく、及び／又は検体容器１０２を定量化してもよい。品質チェックモジュール１３０によって得られる画像は、正確な吸引ピペット及び／又はグリッパーの位置決めを可能にすることができ、血清又は血漿部分２１２ＳＰの十分な量（例えば、体積又は高さ）が、指示された試験に対して、及び／又はＨ、Ｉ、及び／又はＬ又はＮ（以下、ＨＩＬＮ）の同定のために利用可能であることを決定することができる。従って、品質チェックモジュール１３０を使用すると、グリッパーの衝突、ピペットの詰まり、ピペットによる空気の吸引の回避及び／又はＨＩＬＮの同定に役立ち、その結果、価値のある分析装置資源が無駄にならず、試験結果に対する信頼性が向上する可能性がある。
【００４５】
さて、図４Ａを参照すると、品質チェックモジュール１３０の第１の実施形態が示されている。品質チェックモジュール１３０は、撮像位置のデジタル画像（即ち、画素化画像）を側面視点から捕捉するように構成された画像捕捉装置４４０を備えることができる。画像捕捉装置４４０は、デジタルカメラ、電荷結合素子（ＣＣＤ）、一続きの光検出器、１つ以上のＣＭＯＳセンサなどであってよい。画像捕捉装置４４０は、この実施形態では、検体容器１０２及びそこに含まれる検体２１２の画像を単一の側面から撮影するように構成されている。撮像装置４４０は、任意の適切な画像サイズを有するデジタル画像を撮影することができる。画像サイズは、例えば、２５６０画素×６９４画素（高さ×幅）であり得る。別の実施形態では、画像捕捉装置４４０は、１２８０ピクセル×３８４ピクセルの画像サイズを有することができる。他の大きさ及び画素密度を用いることができる。
【００４６】
画像捕捉装置４４０は、検体容器１０２の予想される位置を含む撮像位置４４１において、ビューウィンドウ４４９に近接して設けられ、それを捕捉するように向けられ又は焦点を合わすことができる。いくつかの実施形態において、検体容器１０２は、ビューウィンドウ４４９の中心にほぼ位置するように、軌道１２１上で停止するか、ロボットによって撮像位置４４１に配置されるなどにより、撮像位置４４１に配置し又は停止させることができる。設定どおり、画像捕捉装置４４０は、例えば、血清又は血漿部分２１２ＳＰの一部、沈降血液部分２１２ＳＢの一部、及び蓋２１４の一部、そして恐らくは管２１５の最下部２１２Ｂを含むデジタル画像を生成することができる。
【００４７】
再度、図４Ａ〜４Ｃに言及すると、品質チェックモジュール１３０は、スペクトル的に切り替え可能な背面照射を提供するために、図に示すように、光パネルアセンブリ４５０によって提供されるスペクトル的に切り替え可能な光源を含んでいてよい。スペクトル的に切り替え可能な光源は、少なくとも２つの光スペクトル間で、そして、いくつかの実施形態においては、３以上の離散スペクトル間で、スペクトル的に切り替え可能であり得る。光パネルアセンブリ４５０は、図４Ｂ及び４Ｃに示されるように、フレーム４５２、光ガイド４５４、及び、前面４５０Ｓからの発光を引き起こすように作動する光源４５６を含んでいてよい。図示の実施形態では、光源４５６は、光ガイド４５４の側面稜Ｌ、Ｒ（例えば、側端）に光を放出することができる。光パネルアセンブリ４５０は、更に、拡散装置４５７を備えることができ、ここで、拡散装置４５７の一面は、光パネルアセンブリ４５０の前面４５０Ｓとして機能する。光パネルアセンブリ４５０は、図示されているように、１つ以上の画像捕捉装置４４０に背面照射を提供するように構成された光源である。
【００４８】
フレーム４５２は、プラスチックなどの硬質材料でできていてもよく、固定された取付けロッド（図示せず）上に取り付けられるように適合されている穴４５５などの適切な固定構造を含んでいてもよい。撮像位置４４１に向けて固定された方向に光パネルアセンブリ４５０を取付けるために、他の適切な取り付け機構を備えることができる。フレーム４５２は、ポケット４５８を含むことができ、このポケットは、前面及び頂部が開いており、背面４５８Ｂ及び底部が閉じていて、光ガイド４５４及び拡散装置４５７（使用される場合）をその中に受け入れて位置決めするように構成される。光ガイド４５４及び拡散装置４５７は、頂部からポケット４５８に挿入され、固定部材４５９で所定の位置に固定されてもよい。光ガイド４５４及び拡散装置４５７をフレーム４５２内に固定するための他の手段を使用してもよい。光ガイド４５４は、内部光拡散粒子又は内部光拡散の他の手段を含むプラスチックシートによって提供されるような、光拡散能力を含む適当に透明な導光材料でできていてもよい。１つの適切な材料は、Ｅｖｏｎｉｋ  Ｉｎｄｕｓｔｒｉｅｓ  ＡＧ（ドイツ国、エッセン）から入手可能な製品であるＡｃｒｙｌｉｔｅ  ＬＥＤ（登録商標）ＥｎｄＬｉｇｈｔｅｎである。光ガイド４５４は、例えば、約６０ｍｍ〜約１５０ｍｍの幅、約１２０ｍｍ〜１８０ｍｍの高さ及び約３ｍｍ〜約５ｍｍの厚さを有する、シートで構成され得る。背面照射に有用な一実施形態では、光ガイド４５４は、例えば、幅約６０ｍｍ、高さ約１５０ｍｍ、厚さ約４ｍｍのシートで構成されてもよい。他の適切なサイズを使用してもよい。
【００４９】
図４Ａ及び４Ｂに図示された実施形態では、光ガイド４５４は、光源４５６の光アレイ４５６Ｌ（ＬＥＤストリップモジュール）によって、光ガイドのバルク材料を通して、側面稜Ｌ、Ｒ内に放出される光を導き、その内部の光拡散粒子との光相互作用により、光ガイド４５４の前面４５４Ｆ及び後面４５４Ｒ上に光を放出することによって、機能する。いくつかの実施形態において、光ガイド４５４の後面４５４Ｒは、背面４５８Ｂに向かって通過する任意の光伝達を反射し又は後方散乱し、光ガイド４５４のバルク物質中に戻して、次いでそれが前面４５４Ｆから放出するように、その上に形成された高反射性材料を含むことができる。所望により、フレーム４５２の背面４５８Ｂ上に、又は背面４５８Ｂと光ガイド４５４との間の個々の要素として、高反射性材料を備えることができる。高反射性材料は、鏡若しくは白色プラスチック要素として、又は、例えば銀、金、クロム、スズ若しくはこれらの組合せの金属塗膜を有する他のプラスチック若しくはガラス要素として提供することができる。前面４５４Ｆから放出される光は、光パネルアセンブリ４５０の全前面４５０Ｓに亘って実質的に均一に放射され、検体容器１０２及び検体２１２を照明することができる。
【００５０】
光源４５６は、光ガイド４５４の両側面稜Ｌ、Ｒに隣接して配置された光アレイ４５６Ｌを含むことができる。光アレイ４５６Ｌは、光ガイド４５４の側面稜Ｌ、Ｒに沿って直線的に配置された個々の光源要素（例えば、発光ダイオード−ＬＥＤ）の直線状アレイを含むＬＥＤストリップモジュールであってもよい。光アレイ４５６Ｌは、例えば約８〜８０個のＬＥＤなどの複数のＬＥＤを含むことができ、これらはコンピュータ１４３への電気的接続を可能にするために備えられた接続部４５６Ｃを有する回路基板上に配置することができる。光アレイ４５６Ｌは、ポケット４５８のそれぞれの側面に沿って設けることができ、光源（例えば、ＬＥＤ）の各々の発光部分が側面稜Ｌ、Ｒに直接隣接して、可能であれば側面稜Ｌ、Ｒに触れることさえできるように、設けられるように、構成されている。
【００５１】
光アレイ４５６Ｌは、切り替え可能なマルチスペクトル照明を提供することができる。例えば、一実施形態では、光アレイ４５６Ｌは、複数の独立に切り替え可能な照射要素、又は異なる発光スペクトルを有するＬＥＤなどの一団で切り替え可能な照明要素を含むことができる。照射要素の切り替えは、適切な電源及びドライバと組み合わせたコンピュータ１４３上で操作可能なソフトウェアによって達成することができる。従って、光パネルアセンブリ４５０は、一度に照明用の照射要素の一部のみを選択することによって、異なる公称波長を有する複数の異なるスペクトルで照明されてもよい。
【００５２】
例えば、ＬＥＤは、異なる公称波長で光スペクトルを発する赤色ＬＥＤ４６０（Ｒ）、緑色ＬＥＤ４６１（Ｇ）及び青色ＬＥＤ４６２（Ｂ）などの異なった着色ＬＥＤを含むことができる。光パネルアセンブリ４５０は、例えば、６３４ｎｍ＋／−３５ｎｍで赤色光を、５３７ｎｍ＋／−３５ｎｍで緑色を、４５５ｎｍ＋／−３５ｎｍで青色を発することができる。特に、光アレイ４５６Ｌは、光アレイ４５６Ｌの高さに沿って反復パターンで反復的に配列され得るＲ、Ｇ＆Ｂ  ＬＥＤ４６０、４６１、４６２のクラスタを含むことができる。例えば、ドイツ国、ＲｅｇｅｎｓｂｕｒｇのＯｓｒａｍ  Ｏｐｔｏ  Ｓｅｍｉｃｏｎｄｕｃｔｏｒｓ  ＧｍｂＨから入手可能な高出力Ｏｓｌｏｎ  ＳＳＬモデルＬＥＤを使用することができる。同じ色のＬＥＤは、それぞれ一度に照明することができる。例えば、赤色ＬＥＤ４６０の各々は、同時にオンにして光パネルアセンブリ４５０から赤色照明を提供することができ、検体２１２を含む検体容器１０２をその撮像中に撮像位置４４１で照明する。同様に、緑ＬＥＤ４６１の各々は、同時にオンにして、撮像中に緑の照明を提供することができる。同様に、青色ＬＥＤ４６２の各々は、同時にオンにして撮像中に青色照明を提供することができる。Ｒ、Ｇ及びＢは単なる例であり、他の波長の光源を使用することができる。
【００５３】
いくつかの実施形態において、光源の一部は、白色光（例えば、約４００ｎｍ〜約７００ｎｍの波長範囲）が或るタイプの画像化のために選択され得るように、白色光源を含むことができる。他の実施形態では、ＵＶ（約１０ｎｍ〜約４００ｎｍの波長範囲）、近赤外線（約７００ｎｍ〜約１，２５０ｎｍの波長範囲）又は中赤外線（約１，２５０ｎｍ〜約２，５００ｎｍの波長範囲）をさえ含めることができ、或るタイプの画像のために時々スイッチをオンにすることができる。従って、光パネルアセンブリ４５０の１つ以上の実施形態は、異なる発光スペクトルを有する少なくとも２つの切り替え可能な照明要素を含むことができる。いくつかの実施形態において、切り替え可能なＲ、Ｇ及びＢ照明要素が提供される。いくつかの実施形態において、切り替え可能なＲ、Ｇ、Ｂ及び白色の照明要素が提供される。更に他の実施形態では、切り替え可能なＲ、Ｇ、Ｂ及びＵＶ照明要素が提供される。更に他の実施形態では、切り替え可能なＲ、Ｇ、Ｂ及び近赤外照明要素が提供される。光パネルアセンブリ４５０において、切り替え可能なＲ、Ｇ、Ｂ、白色、紫外線及び近赤外線照明要素の２つ以上の任意の組合せが提供され得る。近赤外線については、波長８５０ｎｍ＋／−２０ｎｍのＬＥＤを使用してもよい。全ての実施形態において、切り替え可能な照明要素の組合せは、光ガイド４５４の高さに沿って、一般的に等量かつ一般的に等間隔で、提供することができる。
【００５４】
光パネルアセンブリ４５０は、所望により、拡散特性を有する拡散装置４５７を含み、幾つかの実施形態において、ドイツ国エッセンのＥＶＯＮＩＫから入手可能なアクリライト（登録商標）Ｓａｔｉｎｃｅのシートとして提供することができる。０Ｄ０１０  ＤＦ無色は良好に機能することが分かった。拡散装置４５７は、例えば、光ガイド４５４とほぼ同じ寸法の高さ及び幅と、約２ｍｍから約４ｍｍの厚さを有するシートでよい。他の寸法が用いられることもある。拡散装置４５７は、それを通過する光を散乱することによって機能する。拡散装置４５７と光ガイド４５４とは、その間に僅かな間隙が形成された状態で互いに間隔を空けて設けてもよい。間隙は、例えば、約１ｍｍから約５ｍｍの間であってよく、いくつかの実施形態では約２．４ｍｍであってもよい。品質チェックモジュール１３０は、軌道１２１を少なくとも部分的に囲んだり覆ったりすることができる囲い４４６（点線で示されている）を備えることができる。囲い４４６は、周囲の照明の変化による照明の変動を排除するために設けられた箱のような構造とすることができる。囲い４４６は、撮像位置４４１を含む空間の少なくとも一部を囲む撮像チャンバ４４６Ｃを形成し、１つ以上の画像捕捉装置４４０は、撮像チャンバ４４６Ｃの外側の位置に存在する（例えば、配置される）撮像は、囲い４４６内に形成された開口部４４６Ａを介して行なわれ得る。囲い４４６は、囲い４４６の反対側に位置し、検体容器１０２を保持するキャリア１２２が軌道１２１上の撮像チャンバ４４６Ｃに出入りすることを可能にするドア（図４Ｂには示されていない）を備えることができる。
【００５５】
図示の実施形態では、検体容器１０２を保持するように構成された検体容器キャリア１２２は、その上に１つ以上の迷光パッチ４２３を含むことができる。１つ以上の迷光パッチ４２３は、光源（例えば、光パネルアセンブリ４５０）から迷光を受ける領域に位置している。迷光は、本明細書では、検体容器１０２の周囲を通過し、囲い４４６の内壁又は撮像チャンバ４４６Ｃの内部の他の構造体から反射され、画像捕捉装置４４０に面する検体容器１０２の前面上に反射された光と定義される。迷光パッチ４２３は、白色のステッカーのような物質のパッチであってもよい。迷光パッチ４２３の色は、それが備えられるバックグラウンド物質よりも淡いはずである。いくつかの実施形態において、迷光パッチ４２３は、その上に、迷光パッチ４２３を配置する助けとなるより暗い境界を含むことができる。
【００５６】
図４Ｄ及び図４Ｅに示すように、検体容器１０２を直立方向に支持し、検体容器１０２を輸送するように構成された検体容器キャリア１２２（以下、「キャリア」）が示されている。キャリア１２２は、キャリアベース１２２Ｂ及びキャリアベース１２２Ｂに連結されてレセプタクルＲを形成する支持要素を備えることができ、このレセプタクルＲは、その中に検体容器１０２を受け入れて支持するように構成されて適合されている。支持要素は、検体容器１０２を垂直方向に支持するように構成された任意の適切な構造、例えば、キャリアベース１２２Ｂから上方に伸びる複数のタイン１２２Ｔ、１２２Ｔであってもよく、キャリアベース１２２Ｂに連結された１つ以上のばねであってもよい。他の適切な支持要素を使用してもよい。
【００５７】
いくつかの実施形態では、１つ以上の迷光パッチ４２３を、キャリア１２２の一部であるホルダー１２２Ｈの１つ以上のタイン１２２Ｔ、又はキャリア１２２上の他の場所に適用することができる。しかしながら、本明細書に記載される他の実施形態では、１つ以上の迷光パッチをキャリア１２２上以外の位置に設けることができる。
【００５８】
キャリア１２２が１つ以上の迷光パッチ４２３を含む一実施形態では、ホルダー１２２Ｈは、上方に伸びていてもよい複数のタイン１２２Ｔを含み、１つ以上のスプリング部材１２２Ｓと共に、その中に検体容器１０２を受け入れ、支持し、保持するように構成されたレセプタクルＲを区画することができる。１つ以上の迷光パッチ４２３は、撮像上最も重要な領域に直接隣接する領域に位置することができる。例えば、迷光パッチ４２３は、血清又は血漿部分２１２ＳＰに可能な限り近接して配置することができる。というのは、これが正確な画像強度情報が求められる１つの領域であるからである。例えば、正確なＨＩＬＮ測定及び定量化のためには、正確な画像強度測定が望まれる。特に、画像捕捉装置４４０での受信信号強度が比較的低いような、検体２１２を通る光透過を妨げる可能性のある比較的高レベルのＨＩＬが存在する可能性がある場合には、迷光補償が非常に重要である。この場合、迷光は、画像捕捉装置４４０で受けたうちのかなりの量の光である可能性がある。
【００５９】
いくつかの実施形態では、１つ以上の迷光パッチ４２３は、撮像中に検体容器１０２に直接隣接して配置されてもよく、できるだけ近くに配置することができるが、一部の実施形態では、検体容器１０２内の血清又は血漿部分２１２ＳＰから少なくとも約３０ｍｍ以内に、また一部の実施形態では、血清又は血漿部分２１２ＳＰから約１ｍｍから約３０ｍｍまでの間に、横方向又は垂直方向に配置することができる。他の間隔も可能である。１つ以上の迷光パッチ４２３は、画像捕捉装置４４０によって撮像可能な位置に、即ち画像捕捉装置４４０のビューウィンドウ４４９（点線で示されている）内に位置する位置に、提供されるべきである。１以上の迷光パッチ４２３は、撮像可能な少なくとも１ｍｍ２の露出パッチ領域を含むことができる。他の露出パッチエリアも考えられる。
【００６０】
特に、迷光パッチ４２３は、１つ以上のタイン１２２Ｔの側面に設けることができ、血清又は血漿部分２１２ＳＰをそこに含むであろう検体容器１０２内の高さに隣接していると判定された高さ位置に設けることができる。高さ位置は、品質チェックモジュール１３０で受信されると予想される検体容器１０２の履歴数及びサイズに関する情報並びに存在する血清及び血漿部分２１２ＳＰ及び沈降血液部分２１２ＳＢの相対量に関する履歴情報に基づいて決定され得る。いくつかの実施形態では、複数の迷光パッチ４２３が、ビューウィンドウ４４９内でキャリア１２２上に設けられることがある。
【００６１】
１つの代替実施形態では、１つ以上の迷光パッチ４２３Ｅが、所望により、又は画像捕捉装置４４０によって撮像可能な任意のタイン１２２Ｔの側面に設けられた１つ以上の迷光パッチ４２３に追加して、タイン１２２Ｔのより薄い端面に設けられてもよい。側面適用される迷光パッチ４２３よりも小さい可能性があるとしても、この位置は、ビューウィンドウ４４９のほぼ中心に位置するタイン１２２Ｔ上に且つ血清又は血漿部分２１２Ｓ上に位置することによって、血清又は血漿部分２１２ＳＰに対して非常に近接し、ビューウィンドウ４４９に対して横方向に中心に位置することができる。
【００６２】
別の実施形態では、迷光パッチ４２３ｉを、パッチ支持体４３２又はキャリア１２２の他の構造物若しくは構成要素又はその支持要素上に設けることができる。迷光パッチ４２３ｉは、本明細書に記載されるような大きさ、形状及び色のものでよい。迷光パッチ４２３ｉは、図４Ｄに示されるように、キャリア１２２の側面にオフセットして配置することができる。
【００６３】
別の実施形態では、迷光パッチ４２３Ｌは、検体容器１０２上に貼り付けられるか又は他の方法で提供されるラベル２１８の一部として提供することができる。例えば、迷光パッチ４２３Ｌは、より暗い輪郭によって囲まれた白色のパッチであってもよく、これは、撮像ソフトウェアで捕捉された画像における迷光パッチ４２３Ｌの位置を特定する際に役立つ可能性がある。この実施形態では、検体容器は、迷光パッチ４２３Ｌがビューウィンドウ４４９の片側に向けられ、画像捕捉装置４４０によって視認可能になるように向けられるであろう。
【００６４】
更に別の実施形態では、迷光パッチ４２３Ｓ自体は、検体容器１０２の前面に、画像捕捉装置４４０によって撮像可能な位置において、付着され又は他の方法で設けられたステッカーであってもよい。例えば、迷光パッチ４２３Ｓは、空気２１６の領域の上部に、蓋２１４上に、又は空気２１６の領域及び蓋２１４の両方と重なるように、設けられてもよい。この実施形態では、迷光パッチ４２３Ｓは、ビューウィンドウ４４９の中心に配置してもよい。この実施形態では、検体容器１０２は、ラベル２１８が検体容器１０２の左右にほぼ等量現われ、検体容器１０２の裏側を横切って血清又は血漿部分２１２ＳＰの少なくとも一部が前面から見えるように向けられる。各場合において、本明細書に記載された品質チェックモジュール１３０のうち、検体容器１０２及びキャリア１２２の向きは、軌道１２１に対して固定されて不動であり、その結果、血清又は血漿部分２１２ＳＰの一部が画像捕捉装置４４０によって視認可能となる。向きは、検体容器をホルダー１２２Ｈ内の観察可能な方向に配置する操作者によって手動で設定することができる。所望により、ロボットは、ラック１０４から検体容器１０２を拾い上げ（図１）、それをキャリア１２２上で視認可能な方向に置くことができる。例えば、ロボットは、検体容器１０２を回転させ、撮像装置でその側面を撮像して、ラベル２１８によって遮られていない領域を決定し、次に、検体容器１０２を、遮られていない領域が画像捕捉装置４４０によって視認可能になるように、ホルダー１２２Ｈ内の方向に配置することができる。ラベル２１８が、検体容器１０２の両側に、ほぼ等量見える適切な方向が図４Ｄに示されている。
【００６５】
キャリア１２２は、迷光パッチ４２３に加えて、撮像ソフトウェアで捕捉された画像から機械的に読み取り可能なデータコード４２５を含むことができる。所望により、別個のバーコードリーダー装置（図示せず）が、画像捕捉装置４４０に隣接して設置され、データコード４２５を読み取るように構成されてもよい。データコード４２５は、一次元バーコード（例えば、ＵＰＣコード、ＥＡＮコード、コード３９、コード１２８、インターリーブド２／５（ＩＴＦ）、コード９３、コーダバー、ＧＳ１データバー、ＭＳＩプレッシーなど）又は二次元バーコード（例えば、ＱＲコード（登録商標）、データマトリックスコード、ＰＤＦ４１７、ＡＺＴＥＣなど）のような任意の適切なバーコードであってよい。大量のデータをコード化できるように、二次元バーコードを使用してもよい。
【００６６】
迷光パッチ４２３は、撮像ソフトウェアが捕捉画像中の迷光パッチを容易に位置決めできるように、キャリア１２２上のデータコード４２５に対して固定された方向に構成されてもよい。いくつかの実施形態において、迷光パッチ４２３の中心位置は、データ４２６のようなデータコード４２５上に提供される１つ以上の幾何学的データに対して位置決めすることができる。データ４２６は、一連の線、ボックス又は他の幾何学的特徴であり得る。いくつかの実施形態では、迷光パッチ４２３及びデータコード４２５は、それぞれ、キャリア１２２上に提供された、例えば、そのタイン１２２Ｔ上に付着された、単一のステッカーに提供され得る。
【００６７】
迷光パッチ４２３及びデータコード４２５をキャリア１２２上で互いに一定の方向に向けて提供するための他の手段としては、白色のペイントを用いて、データコード４２５及び迷光パッチ４２３をキャリア１２２上に塗装するか又は印刷することを含む。いくつかの実施形態において、タイン１２２Ｔの色は、キャリア１２２の色と実質的に対照的であってよい。例えば、キャリア１２２は、黒色又は暗色のプラスチックの成形タイン１２２Ｔを含むことができ、一方、迷光パッチ４２３は、白色のような対比色であることができる。迷光パッチ４２３は、画像ソフトウェアによって容易に認識できる正方形又は長方形などの境界形状を含むことができる。例えば、円形、三角形、八角形、六角形、又は他の多角形等の他の形状が、１つ以上の迷光パッチ４２３に対して使用され得る。
【００６８】
図４Ｅに示されているように、タイン１２２Ｔ、１２２Ｔｓは、キャリアベース１２２Ｂ上で互いに、そしてまた、中心線ＣＬに対して、互いに角度をもった方向に配列されてもよい。タインは、長いタイン１２２Ｔと短いタイン１２２Ｔｓで構成されることがある。長いタイン１２２Ｔ、短いタイン１２２Ｔｓ、上部スプリング１２２ＳＵ及び下部スプリング１２２ＳＬが、検体容器１０２を支持し直立方向に配向させる。上部スプリング１２２ＳＵ及び下部スプリング１２２ＳＬは、検体容器１０２の上部及び下部を支持し、それらを長いタイン１２２Ｔに向けて偏らせる。短いタイン１２２Ｔｓは、検体容器１０２の前側及び後側に位置し、検体容器１０２が前後に傾くのを防止する。短いタイン１２２Ｔｓは、長いタイン１２２Ｔよりも長さが短く、血清又は血漿部分２１２ＳＰの撮像を妨げないようにする。特に、長いタイン１２２Ｔは、キャリアベース１２２Ｂの頂部からタイン１２２Ｔの頂部までの高さが約２５ｍｍから約７５ｍｍの間の高さ寸法を有することができ、短いタイン１２２ＴＳは、キャリアベース１２２Ｂの頂部から短いタイン１２２Ｔｓの頂部までの高さが約５ｍｍから約２５ｍｍの間の高さ寸法を有することができる。他の高さを用いることもある。いくつかの実施形態において、短いタイン１２２Ｔｓは、図４Ｄに示されるように、沈降血液部分２１２ＳＢの上方に伸長しないように、高さが十分に短くなければならない。かくして、血清又は血漿部分２１２ＳＰの最大量は、前側で短いタイン１２２Ｔｓによって妨げられないので、前側で撮像され得、パネルライトアセンブリ４５０からの背面照射は、後側に位置する短いタイン１２２Ｔｓによって妨げられない。
【００６９】
いくつかの実施形態では、キャリアベース１２２Ｂは、例えば、キャリア１２２を軌道１２１に沿って移動させるように動作可能なリニアモータ装置上に設けられたピン４２７Ｐを受け入れる孔のような、接続機能４２７を備えることができる。所望により、ピン４２７Ｐは、軌道１２１の可動部分の一部であってもよい。更に他の実施形態では、キャリア１２２は、単に軌道１２１上に静止するのみであり、軌道１２１上のキャリア１２２の回転方向はトラック側によって維持することができ、これはキャリア基底側４２８に密接し、軌道１２１上でのキャリア１２２の回転を妨げることができる。
【００７０】
さて、図５Ａを参照すると、品質チェックモジュール５３０Ａの別の実施形態が示され、記述されている。この実施形態は、図４Ａ〜４Ｃを参照して記述された実施形態と実質的に同一であるが、図４Ａ及び４Ｄに記述された迷光パッチ４２３とサイズが同一であり得る１つ以上の迷光パッチ５２３Ａが、検体容器１０２を支持するキャリア１２２に連結されていない固定支持体５３２上に設けられている点で異なる。例えば、固定支持体５３２は、図示のように、囲い４４６の一部に結合されていてもよく、或いは品質チェックモジュール５３０Ａの不動部分に固定されていてもよい。図示のように、固定支持体５３２は、囲い４４６の天井壁に結合して示されているが、固定支持体５３２は、床壁を始めとする壁又は撮像チャンバ４４６Ｃ内の、又はその外側のものでもよいが、他の構造などの任意の適切な支持体構造と、結合されていてもよい。固定支持体５３２及び１つ以上の迷光パッチ５２３Ａは、例えば歴史的データに基づいて、１つ以上の迷光パッチ５２３Ａが、血清又は血漿部分２１２ＳＰのおおよその垂直中心の垂直位置にほぼ位置するように配置され得る。固定支持体５３２及び１つ以上の迷光パッチ５２３Ａは、一方の側に、例えば前側に、横向きに配置することができ、その結果、キャリア１２２及び検体容器１０２は、ドア開口部５３３を通って撮像チャンバ４４６Ｃに入り込み、更に干渉されることなく撮像位置４４１に入ることができる。１以上の迷光パッチ５２３Ａは、図４Ｄ〜４Ｅに示された迷光パッチ５２３ｉと同様の方法で、即ち、画像捕捉装置４４０による血清又は血漿部分２１２ＳＰの撮像を妨げないように、検体容器１０２の前側の側面にできるだけ近づけて、配置することができる。
【００７１】
さて、図５Ｂを参照して、品質チェックモジュール５３０Ｂの別の実施形態が示され、記述される。この実施形態は、図４Ａ〜４Ｃを参照して記述された実施形態と実質的に同一であるが、図４Ａ及び４Ｄに記述された迷光パッチ４２３とサイズが同一であってもよい１つ以上の迷光パッチ５２３Ｂが、検体容器１０２を支持するキャリア１２２に連結されていない可動支持体５３４上に設けられている点で異なっている。例えば、図示のように、可動支持体５３４は、囲い４４６及びキャリア１２２の一部に対して移動可能であり得る。可動支持体５３４は、可動支持体５３４のためのベアリング表面として機能することができるガイド部材５３５に受け入れられてもよく、その中を滑るように操作可能であり、運動生成装置５３６の作動によって伸張し退縮することができる。運動生成装置５３６は、例えば、可動支持体５３４上の又は可動支持体５３４と一体となったラック５３６Ｒに係合したピニオン５３６Ｐを回転駆動するように構成されたステッパーモーターのようなモータ５３６Ｍを備えることができる。モータ５３６Ｍの回転は、ピニオン５３６Ｐの回転及び可動支持体５３４の退縮又は伸長を引き起こし、従って、１つ以上の迷光パッチ５２３Ｂの伸展又は退縮を引き起こす。このようにして、迷光パッチ５２３Ｂは、撮像チャンバ４４６Ｃ内の最適な位置まで下げられ（延長され）、そこでは、迷光パッチ５２３Ｂは、キャリア１２２が囲い４４６内のドア開口部５３３を通って入る際に、軌道１２１上の検体容器１０２の経路に位置することができ、次いで撮像が完了した後にキャリア１２２が軌道１２１上を移動する準備が整ったときに、引き込まれる。かくして、図示のように、可動支持体５３４は、撮像位置４４１から離れた第１の位置から撮像位置４４１に隣接する第２の位置に移動するように構成されており、ここで、画像捕捉装置４４０による撮像は、迷光パッチ５２３Ｂが下がったときなど、可動支持体５３４が第２の位置に位置するときに行なわれる。
【００７２】
さて、図６を参照すると、品質チェックモジュール６３０の別の実施形態が示される。品質チェックモジュール６３０は、検体容器１０２の複数の画像を複数の視点（例えば、視点１、２、３）から得ることができるという点で、図４Ａの実施形態と異なる。ここで、各視点１、２及び３は、それぞれ、画像捕捉装置４４０Ａ〜４４０Ｃを含む。それぞれの視点１、２及び３は、図６に示すように、光パネルアセンブリ４５０Ａ〜４５０Ｃを含む。品質チェックモジュール６３０は、（例えば、血清又は血漿部分２１２ＳＰ、沈降血液部分２１２ＳＢ、又はその両方を含む）検体２１２を自動的に特性評価及び／又は定量化するように構成され適合されてよく、且つ／又は、検体２１２が撮像位置６４１に位置する場合に、検体容器１０２を追加的に又は所望により定量化することができる。撮像位置は、例えば、視点１、２及び３の各々からの法線ベクトルが、例えば交差する場所でよい。
【００７３】
品質チェックモジュール６３０の光パネルアセンブリ４５０Ａ〜４５０Ｃは、図４Ｂ〜４Ｃを参照して前述のように構築することができ、上述のように選択的に切替えることができる。光パネルアセンブリ４５０Ａ〜４５０Ｃの発光光源は、例えば、赤色（Ｒ）、緑色（Ｇ）、青色（Ｂ）、白色光、ＮＩＲ、及び／又はＩＲスペクトルを発することができる。３つの画像捕捉装置４４０Ａ〜４４０Ｃを図６に示すが、２つ以上、３つ以上、更に４つ以上のこのような装置を使用することができる。エッジの歪みを最小限にするために、３つ以上の画像捕捉装置４４０Ａ〜４４０Ｃを使用してもよい。画像捕捉装置４４０Ａ〜４４０Ｃは、既に議論したようにデジタル画像（即ち、画素化画像）を捕捉することができる従来のデジタル装置であってもよい。例えば、３つの画像捕捉装置４４０Ａ、４４０Ｂ、４４０Ｃは、複数の（例えば、３つの）例えば、上述のような適切な画像サイズを有する異なる側方視点１、２、及び３から画像を撮影するように構成されてもよい。捕捉された複数の画像は、本明細書に記載するようにコンピュータ１４３によって処理することができ、場合によっては、計算負荷を軽減するために超画素（例えば１１ｘ１１ピクセルの収集物）を使用して処理することができる。
【００７４】
各画像捕捉装置４４０Ａ〜４４０Ｃは、検体容器１０２の少なくとも一部及び検体２１２の少なくとも一部の複数の側方画像を撮影するように構成され、動作可能である（図２〜３参照）。例えば、画像捕捉装置４４０Ａ〜４４０Ｃは、ラベル２１８、蓋２１４及び管２１５の一部を始めとする、検体２１２（図２〜３参照）及び／又は検体容器１０２の一部を捕捉することができる。最終的に、複数の画像から、各画像捕捉装置４４０Ａ〜４４０Ｃによって２Ｄデータセットが生成され、コンピュータ１４３内のメモリに保存することができる。これらの２Ｄデータセットから、検体２１２及び／又は検体容器１０２の属性の処理を行なうことができる。各場合において、２Ｄデータセットの画像強度は、本明細書中で更に説明するように、撮像パッチ６２３Ａ〜６２３Ｃの撮像から得られる情報に基づいて調整することができる。明白であるように、コンピュータ１４３は、少なくとも、１つ以上の迷光パッチ４２３における迷光強度ρｃ，ｂに基づいて、迷光補償画像（以下、Ｉｓ，ｃｏｍｐ）を決定するように構成されてもよい。
【００７５】
図示した実施形態では、複数の画像捕捉装置４４０Ａ〜４４０Ｃが撮像位置４４１の周囲に配置され、複数の視点１、２、３から側方画像を捕捉するように構成されている。３つの撮像装置４４０Ａ、４４０Ｂ及び４４０Ｃを使用する場合、視点１、２及び３は、示されているように、互いにほぼ等間隔になるように、例えばお互いから約１２０度など、間隔を空けてもよい。図示されているように、画像捕捉装置４４０Ａ〜４４０Ｃは、軌道１２１の端部の周囲に配置されてもよい。複数の画像捕捉装置４４０Ａ〜４４０Ｃの他の配置及び間隔を使用してもよい。このようにして、検体容器１０２内の検体２１２の画像は、検体容器１０２がキャリア１２２内に存在している間に撮影することができる。一部の実施形態では、画像が僅かに重複することがある。
【００７６】
画像捕捉装置４４０Ａ〜４４０Ｃは、画像ウィンドウ、即ち、検体容器１０２の予想される位置を含む撮像位置６４１、を捕捉するために、検体容器１０２が画像ウィンドウのほぼ中央に位置するように停止することができるように、近接して提供され、狙いをつけ焦点を合わせることができる。動作中、キャリア１２２が品質チェックモジュール６３０内の撮像位置６４１に位置するという信号を、コンピュータ１４３が受信したときに、各画像は、コンピュータによって送信され通信回線で提供されたトリガー信号に応答してトリガーされ捕捉される。捕捉された画像の各々は、本明細書に提供される迷光補償を含む方法の１つ以上の実施形態に従って処理することができる。特に、ＨＤＲ画像処理を用いて、画像を捕捉し処理して、検体２１２及び検体容器１０２を高レベルの詳細及び情報内容で特性評価することができる。
【００７７】
より詳細には、異なる視点１、２及び３から複数の異なる（異なる公称波長を含む）スペクトルで照明しながら、複数の異なる露光（例えば、複数の露光時間）において、品質チェックモジュール６３０によって、検体２１２の複数の画像が捕捉されてもよい。例えば、各画像捕捉装置４４０Ａ〜４４０Ｃは、異なる露光時間及び複数のスペクトル（例えば、Ｒ、Ｇ、Ｂ）で４〜８の画像を撮ることができる。
【００７８】
複数の実施形態では、複数のスペクトル画像は、光パネルアセンブリ４５０Ａ〜４５０Ｃからの光によって背面照明されている間に達成することができる。光パネルアセンブリ４５０Ａ〜４５０Ｃとして実施されるスペクトル的に切り替え可能な光源は、図６に示すように光検体容器１０２を背面照明してもよく、上述のように切り替え可能な光源を含む。複数のカラー画像の捕捉及び使用は、分析のための情報内容を増加させ、特定のスペクトルで撮像する場合、特定の特徴的な吸収スペクトルを強調することがある。
【００７９】
例えば、第一のスペクトルで照明して画像を捕捉するために、光パネルアセンブリ４５０Ａ〜４５０Ｃ（公称波長約６４ｎｍ＋／−３５ｎｍ）の各々の赤色ＬＥＤ４６０（図４Ｃ）を用いて、３つの側方位置から検体２１２を照明することができる。光パネルアセンブリ４５０Ａ〜４５０Ｃによる赤色照明は、異なる露光時間で複数の画像（例えば、４〜８以上の画像）が各画像捕捉装置４４０Ａ〜４４０Ｃによって捕捉されるように提供されてもよい。いくつかの実施形態では、露光時間は、約０．１ｍ秒〜２５６ｍ秒の間でよい。他の露光時間を使用してもよい。各画像捕捉装置４４０Ａ〜４４０Ｃについて赤色光で照射されている各露光時間画像を撮影し、コンピュータ１４３のメモリに保存することができる。同時に、各画像について、各視点１、２及び３に関連する迷光パッチ６２３Ａ〜６２３Ｃを撮像することにより、迷光強度を測定する。迷光パッチ６２３Ａ〜６２３Ｃは、キャリア１２２上のような本明細書に記載されているような任意の適切な位置に位置することができ、或いは囲い６４６の内側の撮像チャンバ６４６Ｃ内の静止又は移動可能な位置として設けることができる。例えば、迷光パッチは、図６に点線で示されている３つの位置に位置してもよく、図５Ａに示されているように静止しているか又は図５Ｂに示されているように可動であってもよい。
【００８０】
一旦、赤色照明された画像が捕捉されると、赤色ＬＥＤ４６０を消して、別の光スペクトル、例えば、緑色ＬＥＤ４６１（公称波長約５３７ｎｍ＋／−３５ｎｍ）、を点けてもよく、その照明スペクトルで異なる露光時間で複数の画像（例えば、４〜８以上の画像）を、各画像捕捉装置４４０Ａ〜４４０Ｃによって捕捉してもよい。これは、各画像捕捉装置４４０Ａ〜４４０Ｃに対して青色ＬＥＤ４６２（公称波長約４５５ｎｍ＋／−３５ｎｍ）で繰り返すことができる。いくつかの実施形態において、光パネルアセンブリ４５０Ａ〜４５０Ｃからの背面照射は、白色光、ＮＩＲ及び／又はＩＲ光源を使用することによって達成することができる。光パネルアセンブリ４５０Ａ〜４５０Ｃは、画像捕捉装置４４０Ａ〜４４０Ｃの全視野に亘って均質な発光を提供することができる。
【００８１】
品質チェックモジュール６３０は、軌道１２１を少なくとも部分的に囲んだり覆ったりすることができる囲い６４６を備えることができ、検体容器１０２は、画像ｅ及び迷光補償相の間、囲い６４６の内側に位置することができる。囲い４４６は、キャリア１２２が囲い６４６に出入りすることを可能にするために、１つ以上のドア６４６Ｄを備えることができる。
【００８２】
上記の設定の各々について、各個別のスペクトル（例えば、Ｒ、Ｇ、Ｂ、白色光源、ＮＩＲ及び／又はＩＲ）について複数の露光時間で撮影されたこれらの複数の画像の全てが、迅速に連続して得られ、その結果、検体２１２のための複数の視点１、２及び３からの画像の全収集が、例えば、数秒未満で得られることがある。他の長さの時間を用いてもよい。
【００８３】
上述のように、光パネルアセンブリ４５０、４５０Ａ〜４５０Ｃのような光源からの背面照射は、検体及び検体容器を通してだけでなく、囲い４４６、６４６の内部表面から及び／又は撮像チャンバ４４６Ｃ、６４６Ｃ中に存在し得る他の任意の構成要素の他の表面から反射された迷光によって、検体容器１０２のそれぞれの画像捕捉装置４４０、４４０Ａ〜４４０Ｃに面する前面を照明することができる。場合によっては、迷光は、一部は、散乱され、囲い４４６、６４６の表面に方向転換され、その後、囲い４４６、６４６の表面から反射された、検体２１２を透過した光に由来することさえある。このような迷光は、光学的撮像及び分析に影響を及ぼす可能性があるため、望ましくない。このような迷光は、感知された信号レベルが、光源（例えば、光パネルアセンブリ４５０、４５０Ａ〜４５０Ｃ）の放出照明出力に関して低い場合、ＨＩＬＮの分析結果にとって特に問題となり得る。例えば、検体２１２を通過する透過率を測定する場合であって、血清又は血漿部分２１２ＳＰ中に高レベルの脂血症、溶血及び／又は黄疸が存在する場合などのように検体２１２の透過率レベルが低い場合、低信号応答は、比較的高い重複した迷光信号によって著しく歪められることがある。従って、本明細書に記載した迷光補償を提供する実施形態は、検体２１２の透過率測定の改善を可能にする。
【００８４】
従って、実施形態によれば、迷光補償の方法が提供される。第１の態様によれば、迷光較正の方法が提供される。迷光分布は局所的に変化することがある。従って、検体容器１０２の迷光照射は、迷光パッチ４２３上等で観察される迷光強度などと一致するとは予想できない。従って、迷光パッチ位置における推定迷光と検体容器１０２上の迷光分布との関係は、較正方法により推定できる。
【００８５】
較正方法は、理想的には事前スクリーニング撮像測定が実際に品質チェックモジュール１３０、６３０によって行なわれる前に行なわれる撮像を、含む。従って、較正は、再較正が再度実施される前に、複数の事前スクリーニング操作（例えば、複数の検体容器１０２の事前スクリーニング）に対して使用することができる。いくつかの実施形態では、検体２１２を含む検体容器１０２の特定のラックについて、多くの検体２１２について、ある数の検体２１２が事前スクリーニングされた後又は他の適当な較正間隔の後、１日、１週間若しくは１ヶ月の期間又は他の時間間隔で、単一の較正を行なうことができる。
【００８６】
較正方法は、較正対象７０９を撮像することを含む（図７Ｂ）。較正対象は、撮像位置４４１、６４１で受けられると予想される検体容器１０２と実質的に類似した形状を有していてもよい。部分は光沢のない黒色に塗布することができ、少なくとも部分７０９Ｐは、迷光パッチ４２３と同様の散乱性の反射特性を有していてもよい比較的散乱性の反射特性を有する材料（例えば、白色の紙で包んだもの）を含むことができる。しかし、散乱性の反射特性を有する可能性がある任意の適切な不透明較正対象を使用することができる。較正対象７０９は、一実施形態では不透明であってもよく、艶のない又は光沢のない白色の部分を含んでもよい。不透明な特徴は、較正対象７０９を通過する透過光が、画像捕捉装置４４０、４４０Ａ〜４４０Ｃに到達することを排除し、その結果、迷光のみが画像捕捉装置４４０、４４０Ａ〜４４０Ｃに到達するように設計されている。較正対象７０９の前面７０９Ｆは、比較的散乱性の反射特性を含むことができ、そこからの較正中の反射を最小限にするために、比較的高い反射係数を有することができる。較正対象７０９は、較正中にキャリア１２２内に配置され、撮像チャンバ４４６Ｃ、６４６Ｃ内の撮像位置４４１、６４１に位置することができる。一旦、位置決めされ所望のスペクトルの光で照明されると、較正対象７０９の前面７０９Ｆ上の光分布が、ビューウィンドウ内の迷光パッチ４２３と共に、捕捉装置４４０、４４０Ａ〜４４０Ｃで撮像することによって記録される。この背面照射較正強度画像Ｉｃ，ｂは、一実施形態では、較正対象７０９の前面７０９Ｆ（それぞれの画像捕捉装置４４０、４４０Ａ〜４４０Ｃに最も近い側）における迷光の空間分布の画像マップを提供することができる。較正撮像は、また、迷光パッチ強度ρｃ，ｂを提供する。
【００８７】
迷光パッチ強度ρｃ，ｂは、以上の迷光パッチ４２３、６２３Ａ〜６２３Ｃのサブ領域４２３Ｒ上の強度値の範囲を測定することによって、計算することができる。他の実施形態では、迷光パッチ強度ρｃ、ｂは、１以上の迷光パッチ４２３Ｅ、４２３Ｌ、４２３Ｓ、４２３ｉ、５２３Ａ、５２３Ｂのサブ領域上の強度値の範囲を測定することによって、追加的に又は所望により、計算することができる（図４Ａ、５Ａ及び５Ｂ参照）。一以上の迷光パッチ４２３等の面積を評価して、例えば、平均値、最大値及び／又は強度値の中央値を決定することができ、それらのいずれか１つを、迷光パッチ４２３等によって受け取られるスカラー迷光パッチ強度ρｃ，ｂの代表として使用することができる。画像中の迷光パッチ４２３等、ひいてはサブ領域４２３Ｒの位置は、迷光パッチ４２３等がビューウィンドウ４４９、６４９Ａ〜Ｃ内の選択された位置に位置することを予め知っておくことによって見出すことができる。他の実施形態では、迷光パッチ４２３は、データコード４２５に対して予め定義された位置に位置することができ、画像処理アルゴリズムによって迷光パッチ４２３の位置を見つけることを単純化することができる。或いは、色のコントラスト又は他のマーキングを用いて１つ以上のボーダー又はその輪郭を発見するような、任意の他の適切な方法を使用して、迷光パッチ４２３などを位置決めすることができる。
【００８８】
背面照射較正強度画像Ｉｃ、ｂの場合、一実施形態では、７０８において得られた検体画像Ｉｓ、ｂを、画素毎（又はスーパー画素毎）ベースの迷光に対して補償するために、マップを使用することができる。より単純な実施形態では、迷光補償により、背面照射較正強度画像Ｉｃ，ｂを捕捉して、較正対象７０９の前面７０９Ｆの小領域７０９Ｒ（点線で示す）を平均して、背面照射較正強度画像Ｉｃ，ｂのスカラー値を得て使用してもよい。
【００８９】
従って、今や、較正画像強度Ｉｃ、ｂ（マトリックス又はスカラー値のいずれか）及びスカラー迷光パッチ強度ρｃ，ｂが知られた。ここでｃは較正を、ｂは背面照射を表わす。更に、較正画像強度Ｉｃ，ｂとスカラー迷光パッチ強度ρｃ，ｂとの関係も、今や、知られている。従って、較正方法から決定されたこれらの強度値は、品質チェックモジュール１３０、５３０Ａ、５３０Ｂ、６３０で行なわれる実際の事前スクリーニング方法の間に使用され得る。特に、迷光補償画像Ｉｓ，ｃｏｍｐを得ることができ、ここで、ｓは検体を、ｃｏｍｐは補償されたことを表わす。
【００９０】
迷光補償画像Ｉｓ，ｃｏｍｐは、以下のように計算されることがある。
Ｉｓ，ｃｏｍｐ＝Ｉｓ，ｂ−Ｃｏｐｔ｛（ρｓ，ｂ／ρｃ，ｂ）Ｉｃ，ｂ｝−Ｃ０・・・・・（式１）
上記の式において、Ｃｏｐｔは、光学補正係数を示す。光学補正係数Ｃｏｐｔは、検体容器１０２の前面が較正対象７０９の表面とは複数の光学特性を有する可能性があることを考慮に入れた要因となる可能性がある。特性が等しい場合は、Ｃｏｐｔ＝１と推定する。単純化した実施形態では、Ｃｏｐｔ＝１を１つの単純な近似として使用してもよい。
【００９１】
他の実施形態では、より精巧なＣｏｐｔの推定を用いることができる。例えば、検体容器１０２の前面の反射率の低い領域（沈降血液部分２１２ＳＢなど）は、迷光を反射するのではなく、本質的にそれを吸収することができる。反対に、ラベル２１８のような、前面の反射性のより高い物体は、迷光を高い割合で反映している可能性があり、従って、透過率測定を歪める可能性がある。
【００９２】
上記式のＣ０は定数マップであり、検体２１２内部の散乱など乗法的補償項でカバーされない影響を考慮に入れることができる。典型的な構成では、Ｃ０は適切な近似のためにゼロに設定され、従って無視され得る。しかしながら、いくつかの実施形態においては、Ｃ０もまた、セグメンテーションデータから推定することができる。
【００９３】
実施形態では、迷光補償方法及び較正方法は、例えば、ラベル２１８、血清又は血漿部分２１２ＳＰ、沈降血液部分２１２ＳＢ、ゲルセパレータ３１３、空気２１６などのような、前面の迷光によって大きく影響される特徴を、Ｃ０の推定において考慮することができる。試料容器のこのような特徴の存在及び位置は、プレセグメンテーション７０５によって局所的に決定され得る。更に、以下に更に説明するいくつかの実施形態では、それらの反射光学特性を推定することができる。
【００９４】
このプレセグメンテーション７０５の１つの結果は、特徴（例えば、ラベル２１８、血清又は血漿部分、沈降血液部分２１２ＳＢ、ゲルセパレータ３１３、空気２１６など）の空間分布のマップである。従って、一実施形態では、Ｃｏｐｔの推定値は、プレセグメンテーション７０５の結果から視点に存在すると決定されるこのようなセグメント化領域ごとに、割り当てることができる。この実施形態では、コンピュータ１４３は、プレセグメンテーション７０５に基づいて、空間分解された光学補正係数Ｃｏｐｔを決定するように構成され、動作可能である。
【００９５】
プレセグメンテーション７０５は、例えば、セグメンテーション７１１のために本明細書に記載されたもののような任意の適切な画像処理及び／又は機械学習方法を用いることによって、検体容器１０２の画像を計算機的に評価することによって達成することができる。いくつかの実施形態では、プレセグメンテーション７０５は、背面照明画像ではなく、（例えば、図６の他の２つの光パネルアセンブリを使用するか、又は図４Ａ、５Ａ及び５Ｂの前方光源を含めることによって）前方照明下に７０７で捕捉された画像について実施することができ、これは７０８で撮影され、迷光を補償するためにも使用される。
【００９６】
１つの実施形態では、プレセグメンテーション７０５を使用して、割り当てられた予め設定された局所Ｃｏｐｔ値の空間地図を作成することができる。割り当てられた予め設定された局所値は、予め決定されており、予想される分割されたクラスタイプごとにコンピュータ１４３のメモリに予め保存されていることがある。従って、各セグメントクラスは、それに関連する異なる局所Ｃｏｐｔを有することができ、それは、メモリ内で予め設定された局所反射率の推定に依存して、各セグメントに対して異なるレベルの迷光補償を提供し得る。事前に設定された局所Ｃｏｐｔ値の推定は、以前に撮像された較正検体からの平均値に基づいてもよい。
【００９７】
より進展した場合には、検体容器１０２の前面の画像を、プレセグメンテーション７０５に基づいて捕捉された画像中でどのクラスが決定されるかに応じて迷光補償の大きさの複数のケースに分類することができ、検体容器１０２の前面のその視点において実際に測定された光反射特性に基づいて、クラスセグメントごとに適切なＣｏｐｔ推定値を決定してもよい。
【００９８】
或いは、プレセグメンテーション７０５は、検体容器１０２の前面の表面反射率の直接的な推定に置き換えることができる。検体容器１０２の前面の反射率を推定するために、７０４内の追加の反射率較正画像Ｉｃ，ｒ及び７０７内の反射率検体画像Ｉｓ，ｒが、それぞれ、前面照明（前面照射）されたまま捕捉される。反射率較正画像Ｉｃ，ｒは、７０３、７０８における迷光較正画像と同じ条件下（同一スペクトル及び同一露光時間）で取得されることがあるが、迷光から生じるのではなく直接照明からのみ生じる反射を本質的に発生させる照明下で取得される（図６参照）。例えば、視点１については、光パネルアセンブリ４５０Ｂ及び４５０Ｃを用いて、直接照明を行なうことができ、ここでは、反射率検体画像Ｉｓ，ｒが画像捕捉装置４４０Ａによって捕捉される。検体容器１０２及び検体２１２のプレスクリーニング測定中に、直接前面照射照明により７０７内の追加の反射率検体画像Ｉｓ，ｒが取得される。反射率較正画像Ｉｃ，ｒ及び反射率検体画像Ｉｓ，ｒを用いて、光学補正係数を、以下のように、式２により近似することができる。
Ｃｏｐｔ≒Ｉｓ，ｒ／Ｉｃ，ｒ・・・・・（式２）
Ｃｏｐｔは、画素毎（又はスーパー画素毎）ベースでの補償を可能にするためのスカラー値（例えば、平均）又はマトリクス因子であり得る。しかしながら、検体容器１０２及び検体２１２が不透明でないため、上記近似の精度は限定的であり、従って、内部散乱は反射のみでなく何らかの光伝播を引き起こす可能性がある。
【００９９】
複数の迷光条件が評価される場合（例えば、Ｒ、Ｇ、Ｂ光源のようなスペクトル的に切り替え可能な光源又は他のスペクトル的に切り替え可能な光源の場合、又は複数の視点（例えば、視点１、２、３）、又は照明の範囲（例えば、異なる露光量））において、迷光較正、推定及び補償をそのような条件ごとに行なうことができ、それにより、Ｉｓ，ｃｏｍｐを、得られたＣｏｐｔ及びＩｓ、ｂ及びρｓ、ｂの値を用いて、迷光補償７０６における各条件に対して個別に決定できる。Ｃｏｐｔ値は、較正値と７０７における前方照射画像捕捉からの測定値と７０８において捕捉された背面照明画像との組合せから、セグメンテーション及び／又は反射率を用いて予め設定することができ、又は得ることができる。次いで、迷光補償画像Ｉｓ，ｃｏｍｐは、上記の式に従って決定することができ、次いで、セグメンテーション７１１に提供され、それによって操作される。
【０１００】
複数の画像捕捉装置４４０Ａ〜４４０Ｃを含む品質チェックモジュール６３０の場合、各画像捕捉装置４４０Ａ〜４４０Ｃの撮像ウィンドウ内に少なくとも１つの迷光検知パッチ６２３Ａ〜６２３Ｃが見えるはずである。いくつかの実施形態において、複数の迷光検知パッチ６２３Ａ〜６２３Ｃを、視点１、２、及び／又は３に使用することができる。較正方法及び迷光補償方法は、各撮像装置４４０Ａ〜４４０Ｃについて個別に行なうことができる。実施形態によれば、本明細書に記載されている高ダイナミックレンジ（ＨＤＲ）撮像技術を用いて、全ての画像（例えば、較正対象７０９の迷光較正画像並びに検体容器１０２及び検体２１２の画像）を取得することができる。
【０１０１】
いくつか又は全ての実施形態において、光パネルアセンブリ４５０、４５０Ａ〜４５０Ｃによる背面照明の使用によって、前面照明の使用もそうだが、能動（ａｃｔｉｖｅ）照明下で取得された画像は、そのような能動照明なしに捕捉されたそれぞれの追加画像の減算によって、環境光をキャンセルすることができる。従って、周囲の光の影響を取り除くことができる。
【０１０２】
迷光較正画像Ｉｃ，ｂは、例えば、較正対象７０９の前面反射領域を計算的に概算し及び／又は傾けることによって、測定すべきキャリア１２２内の検体容器１０２のおおよその形状及び位置に適合するように計算的に変換することができる。
【０１０３】
撮像が、ＨＤＲ画像処理を伴うような多スペクトル及び多重露光画像を含む場合には、迷光補償画像データの処理には、例えば、異なる露光時間及び各スペクトルでの複数の撮捕捉画像の画像データから、複数の画像捕捉装置が使用される場合には各画像捕捉装置４４０Ａ〜４４０Ｃについて、最適に露光された画素を選択することが更に含まれ、これにより、各スペクトルについて（例えば、ＲＧＢ色画像）及び各画像捕捉装置４４０Ａ〜４４０Ｃについて最適に露光された画像データを生成する。これを本明細書では「画像統合（ｉｍａｇｅ  ｃｏｎｓｏｌｉｄａｔｉｏｎ）」と呼ぶ。各対応画素について、各視点（例えば、１、２及び３）からの各画像について、最適な画像強度を示す画素を、複数の露光時間の画像の各々から選択することができる。
【０１０４】
１つの実施形態において、最適な画像強度は、例えば、所定の範囲内（例えば、０〜２５５のスケールで１８０〜２５４の間）に入る画素であり得る。他の適切な範囲が使用されてもよい。（１つの画像捕捉装置からの）２つの画像の対応する位置における複数の画素が最適に露出されていると決定された場合、２つのうちのより高い強度が選択される。最適に露光された強度値の各々は、それぞれの露光時間によって正規化される。その結果、全ての画素が最適に露光される各視点（例えば、スペクトル当たり１つの画像データセット（例えば、Ｒ、Ｇ及びＢ）及び視点について、複数の正規化及び統合された２Ｄカラー画像データセット（例えば、Ｒ、Ｇ、Ｂ）が得られる。
【０１０５】
さて、迷光が補償されて集約されたデータは、セグメンテーション７１１において操作されて、１つの２Ｄ集約画像を生成し、各視点についてその中の各画素に対してクラスを同定することができる。例えば、画素は、血清又は血漿部分２１２ＳＰ、沈降血液部分２１２ＳＢ、ゲルセパレータ３１３（存在する場合）、空気２１６、チューブ２１２Ｔ又はラベル２１８に分類することができる。蓋２１４も分類してよい。分類は、複数のトレーニングセットから生成される複数クラス分類装置（ｃｌａｓｓｉｆｉｅｒ）（例えば、図７の複数クラス分類装置７１５）に基づいてもよい。
【０１０６】
ＳＶＭを用いて画素レベル分類を実施するために、統計データは、複数の視点について異なる公称波長（例えば、Ｒ、Ｇ、Ｂ）での最適に露光された画素の複数の各々に対して計算され、７１４において２Ｄ統計データセットが生成される。２Ｄ統計データセットには、平均値及び共分散を含めることができる。他の統計が生成されることがある。統計データは、各画素に対する二次までの属性を含むことがあり、これには、平均値、変動及び相関値が含まれる。特に、共分散行列は、識別パターンを表わす多次元データ上で計算される。
【０１０７】
いったん生成されると、各２Ｄ統計データセットは、複数クラス分類装置７１５に提示され、それによって操作される。複数クラス分類装置７１５は、画像データセット内の画素を、１：血清又は血漿部分、２：沈降血液部分、３：ゲルセパレータ（使用された場合）、４：空気、５：管、６：ラベル、及び更には７：キャップのような、７１６内の複数のクラスラベルの１つに属するものとして分類することができる。これから、血清及び血漿部分２１２ＳＰ並びに他の領域を構成する画素を同定することができる。セグメンテーションの結果は、統合された２Ｄデータセットであり、そこにあるすべてのピクセルが分類された視点１、２、３ごとの１つのデータセットである。
【０１０８】
複数クラス分類装置７１５は、線形又はカーネルベースのいずれかであるサポートベクトルマシン（ＳＶＭ）、適応ブースティング分類装置（例えば、ＡｄａＢｏｏｓｔ、ＬｏｇｉｔＢｏｏｓｔなど）のようなブースティング分類装置、曲率ニューラルネットワークのような人工ニューラルネットワーク、ツリーベース分類装置（例えば、決定木、ランダム決定フォレスト）、多重クラス分類装置としてのロジスティック回帰、又は例えば、任意の他の適切な多重クラス分類装置のような、線形又は非線形の任意の適切なタイプの管理された分類モデルであり得る。ＳＶＭは、検体２１２及び試料容器１０２の分析で見出されるような、液体と非液体との間の分類に特に有効であり得る。ＳＶＭは、データを分析してパターンを認識する学習アルゴリズムを備えた教師あり学習モデルである。
【０１０９】
複数セットのトレーニング例を使用して、複数クラス分類装置７１５を訓練してデータセットを所望のクラスに分割し、次に画像データセットを操作し、各画素を結果として分類することができる。複数クラス分類装置７１５は、様々な検体条件、ラベル２１８による閉塞、血清又は血漿部分２１２ＳＰ及び沈降血液部分２１２ＳＢのレベル、ゲルセパレータ３１３を含むか否かなど、を有する検体容器１０２の多数の例に分類すべき様々な領域を図式的に概観することによって訓練することができる。訓練には５００以上の画像を使用してもよい。各トレーニング画像は、手動で輪郭を描いて、各クラスに属する領域を同定し複数クラス分類装置７１５に教示することができる。
【０１１０】
迷光が補償されセグメント化された複数クラス分類装置７１５の結果、特にクラス血清又は血漿部分２１２ＳＰのものとみなされる結果、を、次いで検体２１２を更に定量化するために使用することができる。次いで、最適に露光され迷光補償された２Ｄデータセットは、複数クラス分類装置７１５によって操作され、７１６内の画像データセットに存在する画素クラスを識別する。各画素（又はスーパーピクセル）位置に対して、統計的記述が抽出される。スーパーピクセルの場合、記述は小さなパッチ（例えば、１１ｘ１１ピクセルのスーパーピクセル）内にある。各パッチは、評価プロセスで考慮される記述子を提供する。典型的には、複数クラス分類装置７１５は、特徴記述子に対して動作し、評価中に出力クラスを提供する。各画素又はスーパー画素に対する最終クラスは、最大信頼値を決定することができる。計算された統計値はクラスの特定の特性をコードし、従って異なるクラス間の識別に使用される。
【０１１１】
この方法によれば、検体２１２の様々な部分を定量することができる。第１の態様において、血清又は血漿部分２１２ＳＰは、７１８において同定され得る。これは、クラス−血清又は血漿部分２１２ＳＰからの全ての画素をグループ化し、次いで、７１９における液体（血清又は血漿部分２１２ＳＰ）と空気２１６との間の上部界面（即ち、ＬＡ）の位置を決定することを含むことができる。上部界面ＬＡは、同定された血清又は血漿部分２１２ＳＰの最上部の範囲にあるピクセルのラインを選択することによって決定することができる。これは、各視点１、２及び３について行なわれることがある。ＬＡのための数値は、各視点について血清又は血漿部分２１２ＳＰとして分類される最上位画素の垂直位置を平均することによって、統合された２Ｄ画像データセットの各々に対して、計算され得る。実質的な外れ値はいずれも棄却され、平均では用いられない可能性がある。ｘ及びｚ空間における画像空間と座標空間との間の以前の較正（図４Ｄ参照）は、各視点１、２及び３についての任意の既知の方法によって達成され得る。
【０１１２】
検体２１２においてゲルセパレータ３１３が使用されるかどうかに応じて、次に定量法は、各視点１、２及び３について、７２０におけるＳＢ又はＳＧ（ゲルセパレータが存在する場合）の位置を決定することができる。各視点についてのＳＢ又はＳＧの数値は、７１６において血清又は血漿部分２１２ＳＰに分類される最下位画素の位置を平均し又は集計することによって、７２０において計算することができる。ＳＢ又はＳＧの単一値は、視点１、２及び３についてのＳＢ又はＳＧ値を平均することによって決定することができる。ＬＡ及びＳＢ又はＳＧの位置から、血清又は血漿部分ＨＳＰの高さ（図２及び３）を、ＬＡ及びＳＢ又はＳＧの平均値を差し引くことで決定することができる。ＬＡ、ＳＢ又はＳＧのこれらの値は、後で検体試験装置１００内の血清又は血漿部分２１２ＳＰを吸引する際に、ピペットチップを適切に位置決めするために使用することができる（図１）。
【０１１３】
血清又は血漿部分２１２ＳＰを定量することは、更に、７２６において検体容器１０２の内側の幅（Ｗｉ）を決定することを含むことができる。いくつかの実施形態において、外側幅（Ｗ）は、まず、セグメンテーション７１１によって管２１５として分類される画素を同定し、管２１５の側面外縁上に位置する画素の対応するものの位置を減じ（例えば、ＬＡとＳＢ又はＳＧの間で測定されるように）、次に、各視点１、２及び３について減算値を平均することによって、決定され得る。Ｗの最終値は、１、２、３の視点からのＷ値を平均して求めることができる。実質的な外れ値は無視してもよい。Ｗから、壁厚Ｔｗの２倍を差し引くことによってＷからＷｉを求めることができる。Ｔｗは、メモリ中に保存されている全ての検体容器１０２について推定されている平均壁厚値であってもよいし、Ｗｉは、外側幅Ｗ及び高さＨＴ値に基づいて決定された管タイプに基づいてルックアップテーブルから得られ、これは検体容器１０２について決定されてもよい。
【０１１４】
ＨＳＰ及びＷｉから、血清又は血漿部分２１２ＳＰの体積は、式３における以下の関係を用いて、７２８において決定され得る。
ＶＳＰ＝ＨＳＰ｛Ｐｉ／（４＊Ｗｉ２）｝・・・・・（式３）
【０１１５】
沈降血液部分２１２ＳＢを定量するために、同様の方法に従うことができる。沈降血液部分２１２ＳＢのクラスに対応する画素は、最初に７３０において同定され得る。ゲルセパレータ３１３が存在するかどうかに応じて、各統合された２Ｄ画像データセットにおいて沈降血液部分２１２ＳＢの最下部の画素の位置を特定し、次いでＳＢ又はＢＧのいずれかを差し引くことによって、７３２において各視点について沈降血液部分ＨＳＢの高さを決定することができる。ＳＢは、７２０において決定され得る。ゲルセパレータ３１３が存在する場合、ＢＧは、ゲルセパレータ３１３として分類される画素の最下垂直位置を平均することによって、各視点について決定してもよい。沈降血液部分２１２ＳＢの最下画素は、検体容器１０２の最下垂直寸法を見出し、次に各視点１、２及び３について壁厚Ｔｗを差し引くことによって決定することができる。Ｗｉは７２６において決定され得る。ＨＳＢの最終値は、視点１、２及び３各々の各ＨＳＢ値を平均することによって決定することができる。ＨＳＢ及びＷｉの最終値から、沈降血液部分２１２ＳＢの体積は、３Ｄモデルについて以下の式４を用いて５３４において決定され得る。
ＶＳＢ＝［ＨＳＢ（Ｐｉ／（４＊Ｗｉ２））］−（１／２）Ｗｉ２＋（Ｐｉ／２４）＊Ｗｉ３  ・・・・（式４）
【０１１６】
一旦、７１８において血清又は血漿部分２１２ＳＰが同定されると、その中の干渉物質（例えば、Ｈ、Ｉ及び／又はＬ）の存在は、１以上の干渉物質分類装置７２２を用いて血清又は血漿部分２１２ＳＰの迷光補償２Ｄデータセットについて操作することによって、７２１において決定され得る。１つの実施形態において、別個の分類装置を、Ｈ、Ｉ及びＬ、更にはＮ（Ｎｏｒｍａｌ）の各々に対して使用することができる。所望により、干渉物質分類装置７２１は、複数クラス分類装置であってもよい。セグメンテーションに使用される上記の訓練されたモデルのいずれも、適切に訓練され、ＨＩＬＮ検出に使用され得る。訓練は、様々なレベルのＨＩＬ及びＮを有する数百又は数千の検体２１２に関する撮像及びデータ入力を含むことができる。従って、ＨＩＬＮの全体的な決定をこの方法によって行なうことができるだけでなく、平均インデックス値を使用してＨＩＬインデックス値（Ｈａｖｇ、Ｉａｖｇ、Ｌａｖｇ）を７２１において提供し、これを使用して検体２１２の血清又は血漿部分２１２ＳＰについての干渉レベルの推定を複数視点の平均として提供し得ることを認識すべきである。従って、検体２１２の血清又は血漿部分２１２ＳＰについてのＨ、Ｉ、Ｌ又はＮについての一貫した分類並びに一貫したＨＩＬ指数値（Ｈａｖｇ、Ｉａｖｇ、Ｌａｖｇ）を得ることができる。
【０１１７】
従って、迷光補償を含むモデルに基づく定量法７００が、品質チェックモジュール１３０、４３０、５３０Ａ、５３０Ｂ、６３０によって実施されてもよく、ここで、血清又は血漿部分２１２ＳＰ及び／又は検体２１２の沈降血液部分２１２ＳＢの迅速な定量化をもたらす可能性があることは明白である。最終結果及び判定は、複数視点に亘って集約することができ、いくつかの実施形態において３Ｄモデルとして表示することができる。
【０１１８】
図８は、上述の品質チェックモジュール１３０、５３０Ａ、５３０Ｂ、６３０のいずれか１つで操作可能な較正方法８００のフローチャートを図示しており、本明細書及び図９に記載されている関連する迷光補償方法のためのデータを提供する。１以上の実施形態によれば、較正方法８００は、８０２において、撮像位置（例えば、撮像位置４４１、６４１）、撮像位置の片側面の画像捕捉装置（例えば、画像捕捉装置４４０、４４０Ａ〜４４０Ｃ）、及び第１側面と反対側の撮像位置の第２側面に背面光源（例えば、光パネルアセンブリ４５０、４５０Ａ〜４５０Ｃ）を提供することを含む。いくつかの実施形態において、前方光源は、図９Ａ及び９Ｂに関する以下の議論から明らかになるように、前面反射率を考慮に入れたより高度な較正を提供するために提供され得る。
【０１１９】
較正方法８００は、８０４において、撮像位置（例えば、撮像位置４４１、６４１）において較正用品（例えば、較正対象７０９）を提供することを更に含む。較正対象７０９は、光パネルアセンブリ４５０、４５０Ａ〜４５０Ｃからの光が通過できないような不透明であるとして本明細書に記載されるような対象物であってもよい。較正対象７０９の前面７０９Ｆ（図７Ｂ）は拡散反射特性を有していてもよい。即ち、前面７０９Ｆは比較的高い反射係数を有していてもよい。反射係数は、入射波に対する反射波の振幅の比によって定義されるパラメータである。例えば、７５％を超える反射係数を用いることができる。例えば、ラベル２１８に使用されるのと同じ白色紙を、それぞれの画像捕捉装置４４０、４４０Ａ〜４４０Ｃに面する較正対象７０９の前面７０９Ｆの部分７０９Ｐに使用してもよい。反射係数の他の値を用いてもよい。
【０１２０】
較正方法８００は、更に、８０６において、撮像位置（例えば、撮像位置４４１、６４１）において迷光パッチ（例えば、迷光パッチ４２３、４２３Ｅ、４２３ｉ、４２３Ｌ、４２３Ｓ、５２３Ａ、５２３Ｂ及び／又は６２３Ａ〜６２３Ｃ）を提供することを含む。１つ以上の迷光パッチは、キャリア１２２の１つ以上のタイン１２２Ｔ（迷光パッチ４２３、４２３Ｅ、６２３Ａ〜６２３Ｃ）上、又はキャリア１２２のパッチ支持体４３２又は他の構成要素（例えば、迷光パッチ４２３ｉ）上に位置してもよい。他の実施形態では、１つ以上の迷光パッチは、キャリア１２２上以外に、例えば、固定支持体５３２（例えば、迷光パッチ５２３Ａ）上、又は検体容器１０２を支持するキャリア１２２に連結されていない可動支持体５３４（例えば、迷光パッチ５２３Ｂ）上に、位置してもよい。品質チェックモジュール６３０が複数の視点（例えば、視点１、２、３）を含む場合、画像捕捉装置４４０Ａ〜４４０Ｃによって撮像可能な視点ごとに、ビューウィンドウ内に迷光パッチ６２３Ａ〜６２３Ｃを設けることができる。全ての例において、迷光パッチ（例えば、迷光パッチ４２３、４２３Ｅ、４２３ｉ、４２３Ｌ、４２３Ｓ、５２３Ａ、５２３Ｂ、及び／又は６２３Ａ〜６２３Ｃ）は、撮像ウィンドウに、撮像位置４４１、６４１においてキャリア１２２内の検体容器１０２の前面にできるだけ近く設けられるべきである。
【０１２１】
較正方法８００は、更に、８０８において撮像位置（例えば、撮像位置４４１、６４１）及び較正対象７０９の背面を背面光源で照明し、８１０において較正対象７０９の前面７０９Ｆ及び迷光パッチ（例えば、迷光パッチ４２３、４２３Ｅ、４２３ｉ、４２３Ｌ、４２３Ｓ、５２３Ａ、５２３Ｂ、及び／又は６２３Ａ〜６２３Ｃ）の画像を、画像捕捉装置（例えば、画像捕捉装置４４０、４４０Ａ〜４４０Ｃ）で、同じやり方及び方向で、事前スクリーニング中に使用されるであろう迷光パッチと同じ種類及び位置で、捕捉することを含む。
【０１２２】
較正方法８００は、更に、８１２において、迷光パッチの迷光強度ρｃ，ｂ（例えば、迷光パッチ４２３、４２３Ｅ、４２３ｉ、４２３Ｌ、４２３Ｓ、５２３Ａ、５２３Ｂ、及び／又は６２３Ａ〜６２３Ｃ）及び較正対象７０９の前面７０９Ｆの較正画像強度Ｉｃ，ｂを決定することを含む。一実施形態では、較正画像強度Ｉｃ，ｂはマトリクス量であってもよいが、他実施形態では、較正画像強度Ｉｃ，ｂは、小さな領域７０９Ｒ（例えば、小さな領域７０９Ｒ全体の平均）で測定されるスカラー量であってもよい。いくつかの実施形態において、較正方法８００は、８１４において、光学補正係数Ｃｏｐｔを提供することを含むことができる。Ｃｏｐｔ＝１を割り当てること、７０５におけるプレセグメンテーションに基づいて平均局所Ｃｏｐｔを決定すること、前面上の迷光の分布を考慮に入れて７０５におけるプレセグメンテーションに基づいて局所Ｃｏｐｔマトリックスを決定すること、及び表面反射率を実際に光学的に測定することに基づいてＣｏｐｔを決定することを、含む、上記で議論した光学補正係数Ｃｏｐｔを提供するための方法のいずれも、使用することができる。
【０１２３】
次いで、各状態（及び視点）に対して決定された迷光強度ρｃ、ｂ、較正画像強度Ｉｃ、ｂ及び光学補正因子Ｃｏｐｔの値を用いて、迷光補償画像Ｉｓ，ｃｏｍｐを決定してもよい。従って、較正方法８００から決定されたこれらの値を、品質チェックモジュール１３０、５３０Ａ、５３０Ｂ、６３０で行なわれる実際の事前スクリーニングの間に使用して、その結果、迷光補償画像Ｉｓ，ｃｏｍｐが得られ得ることを認識しておくべきである。これらの迷光補償画像Ｉｓ，ｃｏｍｐは、セグメンテーション７１１について使用され得る。更に、それらは、７２１におけるＨＩＬＮ検出及び／又は検体特性評価装置７２３における検体の更なる特性評価のために使用され得る。
【０１２４】
図９Ａは、光学補正係数Ｃｏｐｔを決定する方法のフローチャートを示す。方法９００Ａは、９０２Ａにおいて、検体２１２を含む前面照明された検体容器の画像を撮像位置（例えば、撮像位置４４１、６４１）で捕捉することを含む。方法９００Ａは、更に、９０４Ａにおいて、前面照明画像を予めセグメント化し、次に９０６Ａにおいて光学補正係数Ｃｏｐｔを決定することを含む。撮像位置（例えば、撮像位置４４１、６４１）における検体（例えば、検体２１２）を含む検体容器（例えば、キャップ付き採血管などの検体容器１０２）の前面照明画像のプレセグメンテーションにより、血清又は血漿部分２１２ＳＰ、沈降血液部分２１２ＳＢ、ゲルセパレータ、空気２１６などのセグメント化領域の同定ができる。９０６Ａにおいて光学補正係数Ｃｏｐｔを決定することは、プレセグメンテーションに基づくことができ、ここで、１つの実施形態において、出力は、画像中の９０８Ａにおける各セグメントについて予め設定されたＣｏｐｔであり、又は所望により９１０ＡにおけるＣｏｐｔマップ、即ち、検体容器１０２の前面の一部又は全部にマッピングされたＣｏｐｔ値のマトリックスであり得る。Ｃｏｐｔ値はコンピュータ１４３のメモリに保存され得る。
【０１２５】
図９Ｂに示すように、Ｃｏｐｔを提供する別の方法９００Ｂを示して記述する。方法９００Ｂは、９０２Ｂにおいて、較正対象（例えば、較正対象７０９）の前面照射照明下の較正画像Ｉｃ，ｒを撮像位置（例えば、撮像位置４４１、６４１）で捕捉することを含む。この方法は、更に、９０４Ｂにおいて、検体（例えば、２１２）を含む検体容器（例えば、検体容器１０２）の前面照射画像Ｉｓ，ｒを撮像位置（例えば、撮像位置４４１、６４１）において捕捉することを含む。いくつかの実施形態において、較正画像は、事前スクリーニングの前に捕捉される。更に、方法９００Ｂは、９０６Ｂにおいて、反射率に基づいて光学補正係数Ｃｏｐｔ（ここで、Ｃｏｐｔ＝Ｉｃ，ｒ／Ｉｓ，ｒ）を決定することを含む。この場合、Ｃｏｐｔは、較正対象７０９及び検体容器１０２の前面の広がりをマッピングする値のマトリクスである。理解されるように、Ｃｏｐｔは異なるスペクトルごとに、また、視点１、２、及び３ごとに決定してもよい。
【０１２６】
別の態様では、図１０に示されるように、特性評価方法１０００は、１００２において、検体（例えば、検体２１２）を含む検体容器（例えば、検体容器１０２）を撮像位置（例えば、撮像位置４４１、６４１）で提供することを含むことができる。
【０１２７】
方法１０００は、更に、１００４において、撮像位置で画像を捕捉するように構成された１つ以上の画像捕捉装置（例えば、画像捕捉装置４４０、４４０Ａ〜４４０Ｃ）を提供し、１００６においては、１つ以上の光源（例えば、光パネルアセンブリ４５０、４５０Ａ〜４５０Ｃを含む光源）で撮像位置を背面照射することを含む。
【０１２８】
方法１０００は、更に、１００８において、１以上の光源から迷光を受け取る領域に位置する迷光パッチ（例えば、迷光パッチ４２３、４２３Ｅ、４２３Ｌ、４２３Ｓ、４２３ｉ、５２３Ａ、５２３Ｂ、６２３Ａ〜６２３Ｃ）を提供し、１０１０において、検体容器、検体及び迷光パッチの画像を１以上の画像捕捉装置で捕捉することを含む。１０１２において、方法１０００は、次に、上記の式１に従い且つ本明細書に記載されているように、迷光補償画像（例えば、迷光補償画像Ｉｓ，ｃｏｍｐ）を決定することを含む。
【０１２９】
本開示は種々の改変及び代替形態を受け入れるが、具体的なシステム、装置及び方法の実施形態は、図面に例として示されており、本明細書に詳細に記載されている。しかしながら、本開示を、開示された特定のシステム、装置又は方法に限定することを意図しておらず、反対に、その意図はクレームの範囲内に入る全ての改変、等価物及び代替形態を網羅することを意図していることが理解されるべきである。
【符号の説明】
【０１３０】
１        ：視点
２        ：視点
３        ：視点
１００    ：検体試験装置
１０２    ：検体容器
１０４    ：ラック
１０５    ：搭載領域
１０６    ：第一の分析装置
１０８    ：第二の分析装置
１１０    ：第三の分析装置
１１６    ：センサ
１２０    ：基部
１２１    ：軌道
１２２    ：検体容器キャリア
１２２Ｂ  ：キャリアベース
１２２Ｈ  ：ホルダー
１２２Ｓ  ：スプリング部材
１２２ＳＬ：下部スプリング
１２２ＳＵ：上部スプリング部
１２２Ｔ  ：タイン
１２２ＴＳ：短いタイン
１２４    ：ロボット
１２５    ：遠心分離機
１３０    ：品質チェックモジュール
１４３    ：コンピュータ
１４５    ：コンピュータインターフェースモジュール
１４７    ：実験室情報システム
２１２    ：検体
２１２ＳＢ：沈降血液部分
２１２ＳＰ：血清又は血漿部分
２１４    ：蓋
２１５    ：管
２１６    ：空気
２１８    ：ラベル
２１８ｉ  ：識別情報
３１３    ：ゲルセパレータ
４２３    ：迷光パッチ
４２３Ｅ  ：迷光パッチ
４２３ｉ  ：迷光パッチ
４２３Ｌ  ：迷光パッチ
４２３Ｒ  ：サブ領域
４２３Ｓ  ：迷光パッチ
４２５    ：データコード
４２６    ：データ
４２７    ：接続機能
４２７Ｐ  ：ピン
４２８    ：キャリア基底側
４３２    ：パッチ支持体
４４０    ：画像捕捉装置
４４０Ａ  ：画像捕捉装置
４４０Ｂ  ：画像捕捉装置
４４０Ｃ  ：画像捕捉装置
４４１    ：撮像位置
４４６    ：囲い
４４６Ａ  ：開口部
４４６Ｃ  ：撮像チャンバ
４４９    ：ビューウィンドウ
４５０    ：光パネルアセンブリ
４５０Ａ  ：光パネルアセンブリ
４５０Ｂ  ：光パネルアセンブリ
４５０Ｃ  ：光パネルアセンブリ
４５０Ｓ  ：光パネルアセンブリ４５０の全前面
４５２    ：フレーム
４５４    ：光ガイド
４５４Ｆ  ：光ガイドの前面
４５４Ｒ  ：光ガイドの後面
４５５    ：穴
４５６    ：光源４５６
４５６Ｃ  ：接続部
４５６Ｌ  ：光アレイ
４５７    ：拡散装置
４５８    ：ポケット
４５８Ｂ  ：フレームの背面
４５９    ：固定部材
４６０    ：赤色ＬＥＤ
４６１    ：緑色ＬＥＤ
４６２    ：青色ＬＥＤ
５２３Ａ  ：迷光パッチ
５２３Ｂ  ：迷光パッチ
５３０Ａ  ：品質チェックモジュール
５３０Ｂ  ：品質チェックモジュール
５３２    ：固定支持体
５３３    ：ドア開口部
５３４    ：可動支持体
５３５    ：ガイド部材
５３６    ：運動生成装置
５３６Ｍ  ：モータ
５３６Ｐ  ：ピニオン
５３６Ｒ  ：ラック
６２３Ａ  ：迷光パッチ
６２３Ｂ  ：迷光パッチ
６２３Ｃ  ：迷光パッチ
６３０    ：品質チェックモジュール
６４１    ：撮像位置
６４６    ：囲い
６４６Ｃ  ：撮像チャンバ
６４６Ｄ  ：ドア
６４９Ａ  ：ビューウィンドウ
６４９Ｂ  ：ビューウィンドウ
６４９Ｃ  ：ビューウィンドウ
７００    ：迷光補償を含むモデルに基づく定量法
７０９    ：較正対象
７０９Ｆ  ：較正対象の前面
７０９Ｐ  ：較正対象の前面の部分
７０９Ｒ  ：較正対象の前面の小領域
７２３    ：検体特性評価装置
８００    ：較正方法
９００Ａ  ：光学補正係数Ｃｏｐｔを決定する方法
９００Ｂ  ：光学補正係数Ｃｏｐｔを決定する方法
１０００  ：特性評価方法
Ｉｃ，ｂ    ：背面照射較正画像強度
Ｉｃ，ｒ    ：前面照射較正画像強度
Ｉｓ，ｒ    ：前面照射検体画像強度
Ｉｓ，ｂ    ：背面照射検体画像強度
Ｉｓ，ｃｏｍｐ：迷光補償画像
ρｃ，ｂ    ：迷光強度
ＬＩＳ    ：実験室情報システム
ＣＩＭ    ：コンピュータインターフェースモジュール
ＴＣ      ：管−蓋界面
ＬＡ      ：血清又は血漿部分の頂部
ＳＢ      ：沈降血液部分
ＳＧ      ：ゲルセパレータの頂部
ＢＧ      ：沈降血液部分の底部
ＨＳＢ    ：沈降血液部分の高さ
ＨＳＰ    ：血清又は血漿部分の高さ
ＨＴＯＴ  ：検体の全高さ
ＨＴ      ：管の高さ
Ｗ        ：検体容器の外側の幅
Ｗｉ      ：検体容器の内側の幅
Ｔｗ      ：検体容器の壁厚
【図１】
2020527712.tif 000003
【図２】
2020527712.tif 000004
【図３】
2020527712.tif 000005
【図４Ａ】
2020527712.tif 000006
【図４Ｂ】
2020527712.tif 000007
【図４Ｃ】
2020527712.tif 000008
【図４Ｄ】
2020527712.tif 000009
【図４Ｅ】
2020527712.tif 000010
【図５Ａ】
2020527712.tif 000011
【図５Ｂ】
2020527712.tif 000012
【図６】
2020527712.tif 000013
【図７Ａ】
2020527712.tif 000014
【図７Ｂ】
2020527712.tif 000015
【図８】
2020527712.tif 000016
【図９Ａ】
2020527712.tif 000017
【図９Ｂ】
2020527712.tif 000018
【図１０】
2020527712.tif 000019
【国際調査報告】
2020527712.tif 000020